(57)【要約】【課題】コンテンツや、当該コンテンツへのユーザーの視聴状態に応じて広告の表示を制御することができる広告配信装置を提供すること。【解決手段】広告配信装置は、コンテンツ表示装置によるコンテンツの視聴状態を示す視聴関連情報を取得する第１取得部と、広告配信の条件と、コンテンツに関する情報と、を対応付ける可否情報を取得する可否情報取得部と、前記可否情報と前記視聴関連情報とに基づいて、前記コンテンツ表示装置によりコンテンツが視聴されているときに、配信候補の広告の配信を取り止める配信制御部と、を備える。【選択図】図５
2018125856.tif 000002
【特許請求の範囲】
【請求項１】
コンテンツ表示装置によるコンテンツの視聴状態を示す視聴関連情報を取得する第１取得部と、
広告配信の条件と、コンテンツに関する情報と、を対応付ける可否情報を取得する可否情報取得部と、
前記可否情報と前記視聴関連情報とに基づいて、前記コンテンツ表示装置によりコンテンツが視聴されているときに、配信候補の広告の配信を取り止める配信制御部と、
を備える広告配信装置。
【請求項２】
請求項１に記載の広告配信装置であって、
前記コンテンツに関する情報とは、コンテンツのメタ情報であり、
前記視聴関連情報に基づいて前記コンテンツ表示装置に表示されるコンテンツのメタ情報を取得する第２取得部を備え、
前記配信制御部は、前記可否情報と、前記視聴関連情報と、前記第２取得部が取得したメタ情報とに基づいて前記広告の配信を制御する、
広告配信装置。
【請求項３】
請求項２に記載の広告配信装置であって、
前記メタ情報は、コンテンツの製作元及び配信元の両方又はいずれかを示す、
広告配信装置。
【請求項４】
請求項２又は３に記載の広告配信装置であって、
前記メタ情報は、コンテンツに係るスポンサーを示す、
広告配信装置。
【請求項５】
請求項１から４のうちいずれか一項に記載の広告配信装置であって、
前記配信制御部は、前記視聴関連情報のうち、所定期間内に更新された視聴関連情報に基づいて選択された配信候補の広告の配信を取り止める、
広告配信装置。
【請求項６】
請求項１から５のうちいずれか一項に記載の広告配信装置であって、
前記視聴関連情報は、前記コンテンツに関する情報として、前記コンテンツ表示装置が外部入力端子又はインターネットを介してコンテンツを表示しているか否かを示す情報を含む、
広告配信装置。
【請求項７】
請求項１から６のうちいずれか一項に記載の広告配信装置であって、
前記視聴関連情報は、前記コンテンツに関する情報として、前記コンテンツ表示装置のユーザーが、該コンテンツ表示装置から目線を外しているか否かを示す情報を含み、
前記配信制御部は、前記コンテンツ表示装置のユーザーが、該コンテンツ表示装置から目線を外している場合、該コンテンツ表示装置のセカンドスクリーンとして機能する情報処理端末に前記広告を配信する、
広告配信装置。
【請求項８】
請求項１から７のうちいずれか一項に記載の広告配信装置であって、
前記視聴関連情報は、前記コンテンツ表示装置のユーザーが、該コンテンツ表示装置が設置された部屋から外出しているか否かを示し、
前記配信制御部は、前記コンテンツ表示装置のユーザーが、該コンテンツ表示装置が設置された部屋から外出している場合、該コンテンツ表示装置のセカンドスクリーンとして機能する情報処理端末に前記広告を配信する、
広告配信装置。
【請求項９】
広告配信装置が、コンテンツ表示装置によるコンテンツの視聴状態を示す視聴関連情報を取得し、
前記広告配信装置が、広告配信の条件と、コンテンツに関する情報と、を対応付ける可否情報を取得し、
前記広告配信装置が、前記可否情報と前記視聴関連情報とに基づいて、前記コンテンツ表示装置によりコンテンツが視聴されているときに、配信候補の広告の配信を取り止める、
広告配信方法。
【請求項１０】
広告配信装置のコンピューターに、
コンテンツ表示装置による視聴状態を示す視聴関連情報を取得させる第１ステップと、
広告配信の条件と、コンテンツに関する情報と、を対応付ける可否情報を取得させる第２ステップと、
前記可否情報と前記視聴関連情報とに基づいて、前記コンテンツ表示装置によりコンテンツが視聴されているときに、配信候補の広告の配信を取り止めさせる第３ステップと、
を実行させるための広告配信プログラム。
【請求項１１】
広告配信装置と、前記広告配信装置から配信された広告を表示するコンテンツ表示装置とを具備する広告配信システムであって、
前記広告配信装置は、
コンテンツ表示装置による視聴状態を示す視聴関連情報を取得する第１取得部と、
広告配信の条件と、コンテンツに関する情報と、を対応付ける可否情報を取得する可否情報取得部と、
前記可否情報と前記視聴関連情報とに基づいて、前記コンテンツ表示装置によりコンテンツが視聴されているときに、配信候補の広告の配信を取り止める配信制御部と、
を備え、
前記コンテンツ表示装置は、
自装置の前記視聴関連情報を出力する出力部と、
前記広告配信装置により配信が取り止められずに配信された広告を取得する第３取得部と、
前記第３取得部が取得した前記広告を表示する表示部と、
を備える、
広告配信システム。
【請求項１２】
広告配信装置と、コンテンツ表示装置と、前記広告配信装置から出力された広告を表示する情報処理端末とを具備する広告配信システムであって、
前記広告配信装置は、
コンテンツ表示装置による視聴状態を示す視聴関連情報を取得する第１取得部と、
広告配信の条件と、コンテンツに関する情報と、を対応付ける可否情報を取得する可否情報取得部と、
前記可否情報と前記視聴関連情報とに基づいて、前記コンテンツ表示装置によりコンテンツが視聴されているときに、配信候補の広告の配信を取り止める配信制御部と、
を備え、
前記コンテンツ表示装置は、
自装置の前記視聴関連情報を出力する第１出力部と、
前記広告配信装置により配信が取り止められずに配信された広告を取得する第３取得部と、
前記第３取得部が取得した前記広告を前記情報処理端末に出力する第２出力部と、
を備え、
前記情報処理端末は、
前記コンテンツ表示装置から前記広告を取得する第４取得部と、
前記第４取得部が取得した前記広告を表示する表示部と、
を備える、
広告配信システム。
【請求項１３】
自装置の視聴状態を示す視聴関連情報を出力する第１出力部と、
広告配信の条件とコンテンツに関する情報とを対応付ける可否情報と、前記第１出力部が出力した視聴関連情報とに基づいて、コンテンツ表示装置によりコンテンツが視聴されているときに、配信候補の広告の配信を取り止める配信制御部により配信が取り止められなかった広告を表示する表示部と、
を備える、
コンテンツ表示装置。
【請求項１４】
コンテンツ表示装置のコンピューターに、
自装置の視聴状態を示す視聴関連情報を出力させる第１ステップと、
広告配信の条件とコンテンツに関する情報とを対応付ける可否情報と、前記第１ステップにおいて出力させた視聴関連情報とに基づいて、前記コンテンツ表示装置によりコンテンツが視聴されているときに、配信候補の広告の配信を取り止める配信制御部により配信が取り止められなかった広告を表示させる第２ステップと、
を実行させるためのコンテンツ表示プログラム。
【請求項１５】
広告配信の条件とコンテンツに関する情報とを対応付ける可否情報と、コンテンツ表示装置による視聴状態を示す視聴関連情報とに基づいて、前記コンテンツ表示装置によりコンテンツが視聴されているときに、配信候補の広告の配信を取り止める配信制御部により配信が取り止められなかった広告を取得する第４取得部と、
前記第４取得部が取得した前記広告を表示する表示部と、
を備える情報処理端末。
【請求項１６】
情報処理端末のコンピューターに、
広告配信の条件とコンテンツに関する情報とを対応付ける可否情報と、コンテンツ表示装置による視聴に係る情報が視聴関連情報とに基づいて、前記コンテンツ表示装置によりコンテンツが視聴されているときに、配信候補の広告の配信を取り止める配信制御部により配信が取り止められなかった前記広告を取得させる第１ステップと、
前記第１ステップにより取得された広告を表示させる第２ステップと、
を実行させるための情報処理プログラム。
【請求項１７】
広告配信装置と、前記広告配信装置から出力された広告を表示するコンテンツ表示装置とを具備する広告配信システムの広告配信方法であって、
前記広告配信装置は、
前記コンテンツ表示装置による視聴状態を示す視聴関連情報を取得し、
広告配信の条件と、コンテンツに関する情報と、を対応付ける可否情報を取得し、
前記可否情報と前記視聴関連情報とに基づいて、前記コンテンツ表示装置によりコンテンツが視聴されているときに、配信候補の広告の配信を取り止め、
前記コンテンツ表示装置は、
自装置の前記視聴関連情報を出力し、
前記広告配信装置により配信が取り止められずに配信された広告を取得し、
取得した前記広告を表示する、
広告配信方法。
【請求項１８】
広告配信装置と、コンテンツ表示装置と、前記広告配信装置から出力された広告を表示する情報処理端末とを具備する広告配信システムの広告配信方法であって、
前記広告配信装置は、
前記コンテンツ表示装置による視聴状態を示す視聴関連情報を取得し、
広告配信の条件と、コンテンツに関する情報と、を対応付ける可否情報を取得し、
前記可否情報と前記視聴関連情報とに基づいて、前記コンテンツ表示装置によりコンテンツが視聴されているときに、配信候補の広告の配信を取り止め、
前記コンテンツ表示装置は、
自装置の前記視聴関連情報を出力し、
前記広告配信装置により配信が取り止められずに配信された広告を取得し、
取得された前記広告を前記情報処理端末に出力し、
前記情報処理端末は、
前記コンテンツ表示装置から前記広告を取得し、
取得した前記広告を表示する、
広告配信方法。
【発明の詳細な説明】
【技術分野】
【０００１】
この発明は、広告配信装置、広告配信システム、広告配信方法、広告配信プログラム、コンテンツ表示装置、コンテンツ表示プログラム、情報処理端末、及び情報処理プログラムに関する。
本願は、２０１４年６月１３日に、日本に出願された特願２０１４−１２２１９７号に基づき優先権を主張し、その内容をここに援用する。
【背景技術】
【０００２】
販売を促進することを目的として、ユーザーが視聴しているテレビジョン受像機等に広告を配信するための装置が普及している。
【０００３】
これに関連し、映像を表示する処理の過程で所望の映像が表示できない無映像期間がある映像表示装置に、サーバーからコンテンツを配信するコンテンツ配信方法であって、サーバーが稼働中の映像表示装置にあらかじめコンテンツを配信し、配信したコンテンツを視聴可能な状態に映像表示装置が受け入れたことについてインセンティブを計算し、映像表示装置の無映像期間に、所望の映像の代わりに配信したコンテンツを該映像表示装置に表示するコンテンツ配信方法が知られている（特許文献１参照）。
【先行技術文献】
【特許文献】
【０００４】
【特許文献１】特開２００８−７２３８６号公報
【発明の概要】
【発明が解決しようとする課題】
【０００５】
しかしながら、従来の方法では、映像表示装置に表示されているコンテンツや、当該コンテンツへのユーザーの視聴状態等の視聴に係る情報に応じて広告を表示させないようにすることができなかった。
【０００６】
そこで本発明は、上記従来技術の問題に鑑みてなされたものであり、コンテンツや、当該コンテンツへのユーザーの視聴に係る情報に応じて広告の配信を制御することができる広告配信装置、広告配信システム、広告配信方法、広告配信プログラム、コンテンツ表示装置、コンテンツ表示プログラム、情報処理端末、及び情報処理プログラムを提供することを目的の一つとする。
【課題を解決するための手段】
【０００７】
本発明の一態様は、コンテンツ表示装置によるコンテンツの視聴状態を示す視聴関連情報を取得する第１取得部と、広告配信の条件と、コンテンツに関する情報と、を対応付ける可否情報を取得する可否情報取得部と、前記可否情報と前記視聴関連情報とに基づいて、前記コンテンツ表示装置によりコンテンツが視聴されているときに、配信候補の広告の配信を取り止める配信制御部と、を備える広告配信装置である。
【発明の効果】
【０００８】
本発明の一態様によれば、コンテンツや、当該コンテンツへのユーザーの視聴に係る情報に応じて広告の配信を制御することができる広告配信装置、広告配信システム、広告配信方法、広告配信プログラム、コンテンツ表示装置、コンテンツ表示プログラム、情報処理端末、及び情報処理プログラムを提供することができる。
【図面の簡単な説明】
【０００９】
【図１】第１実施形態に係る広告配信システム１の構成の一例を示す図である。
【図２】広告配信装置２によって付加広告の配信を行う場合と行わない場合のそれぞれを示す一覧の一例を示す図である。
【図３】広告配信装置２によって付加広告の配信を行う場合と行わない場合のそれぞれを模式的に表す図の一例である。
【図４】広告配信装置２のハードウェア構成の一例を示す図である。
【図５】広告配信装置２の機能構成の一例を示す図である。
【図６】コンテンツ表示装置３の機能構成の一例を示す図である。
【図７】情報処理端末４の機能構成の一例を示す図である。
【図８】制御部２６により付加広告の配信を制御する処理の一例を示すフローチャートである。
【図９】広告配信処理によって配信される付加広告の種類の一覧の一例を示す図である。
【図１０】コンテンツ表示装置３の制御部３６が付加広告を取得した時に付加広告を表示する処理の一例を示すフローチャートである。
【図１１】広告配信装置２により付加広告が配信され、配信された付加広告をコンテンツ表示装置３が表示する処理の流れの一例を示すシーケンス図である。
【図１２】図１１に示したステップＳ３１０からステップＳ３４０までの間にコンテンツ表示装置３に表示されているコンテンツの変化の一例を示す図である。
【図１３】広告配信装置２により配信された付加広告がコンテンツ表示装置３に表示された場合の表示例を示す図である。
【図１４】広告配信装置２により配信された付加広告が情報処理端末４に表示された場合の表示例を示す図である。
【図１５】コンテンツ表示装置３又は情報処理端末４に設定画面が表示された様子の一例を示す図である。
【図１６】広告配信装置２による付加広告の配信の制御により得られる効果の一例を説明するための図である。
【図１７】ユーザーの目線がコンテンツ表示装置３から外れた場合における広告配信装置２が広告を配信する配信先の一覧の一例を示す図である。
【図１８】ユーザーの目線に応じてコンテンツ表示装置３と情報処理端末４に広告配信装置２が広告を配信する制御の流れの一例を示す図である。
【図１９】ユーザーが外出中の場合における広告配信装置２が広告を配信する配信先の一覧の一例を示す図である。
【図２０】撮像画像中のコンテンツ表示装置３に表示された画像と、その撮像画像が撮像された時間に放送されていたコンテンツの静止画像を例示する第１図である。
【図２１】撮像画像中のコンテンツ表示装置３に表示された画像と、その撮像画像が撮像された時間に放送されていたコンテンツの静止画像を例示する第２図である。
【図２２】第５実施形態に係る広告配信システム１Ｄの構成の一例を示す図である。
【図２３】コンテンツ情報のデータ構成の一例を示す図である。
【図２４】視聴関連情報のデータ構成の一例を示す図である。
【図２５】可否情報のデータ構成の一例を示す図である。
【図２６】広告配信システム１Ｄによる全体的な処理の流れの一例を示すシーケンス図である。
【発明を実施するための形態】
【００１０】
＜第１実施形態＞
以下、本発明の第１実施形態について、図面を参照して説明する。図１は、第１実施形態に係る広告配信システム１の構成の一例を示す図である。第１実施形態に係る広告配信システム１は、広告配信装置２と、コンテンツ表示装置３と、コンテンツ表示装置３のセカンドスクリーンとして機能する情報処理端末４と、広告ＤＢサーバー５と、コンテンツ情報サーバー６を具備する。なお、広告配信システム１は、複数のコンテンツ表示装置３を具備する構成であってもよく、複数の情報処理端末４を具備する構成であってもよく、情報処理端末４を具備しない構成であってもよい。
【００１１】
広告配信システム１は、コンテンツ表示装置３と情報処理端末４のうちいずれか一方又は両方へ広告を配信して表示させる。その際、広告配信システム１は、コンテンツ表示装置３に表示されている視聴関連情報に応じて、コンテンツ表示装置３と、コンテンツ表示装置３のセカンドスクリーンとして機能する情報処理端末４のうちいずれか一方又は両方への広告の配信を制御する。前記の配信を制御するとは、視聴関連情報に応じて配信するか否かを判定し、判定結果に応じて広告を配信することであるが、視聴関連情報に応じた何らかの処理を行い、その処理に基づいた広告の配信を行う構成であってもよい。
【００１２】
視聴関連情報は、コンテンツ表示装置３によるコンテンツの視聴状態を示す情報である。視聴関連情報とは、例えば、コンテンツ表示装置３及び情報処理端末４に表示されているコンテンツを識別する情報（情報処理端末４を具備しない場合、コンテンツ表示装置３に表示されているコンテンツを識別する情報）、コンテンツ表示装置３の電源がオン又はオフにされたことを示す情報、コンテンツ表示装置３の表示部又は情報処理端末４の表示部に対するユーザーの目線方向を示す情報、ユーザーが外出しているか否かを示す情報等のうち少なくとも一つを含む情報である。
【００１３】
コンテンツを識別する情報とは、例えば、コンテンツを識別するためのコンテンツＩＤや、ＨＤＭＩ（登録商標）端子等の外部入力端子を介して表示されたコンテンツであるか否かを示す情報等を含む。また、コンテンツがブロードキャスト放送された番組である場合、コンテンツを識別する情報は、視聴時間とブロードキャストＩＤ（放送局を識別するＩＤ）のみであってもよい。この場合、例えば、広告配信システム１は、後述するコンテンツ情報と時間、ブロードキャストＩＤが対応付けられたテーブルがコンテンツ情報サーバー６等によって記憶され、そのテーブルを参照することでコンテンツ表示装置３に表示されている（すなわち、ユーザーが視聴している）コンテンツを識別する。また、コンテンツが録画された番組であってブロードキャスト放送された番組であった場合、広告配信システム１は、コンテンツの録画日時と放送局ＩＤとがコンテンツ情報と対応付けられたテーブルを記憶し、そのテーブルに基づいてコンテンツ表示装置３に表示されているコンテンツを識別する。コンテンツ表示装置３の表示部又は情報処理端末４の表示部に対するユーザーの目線方向を示す情報は、コンテンツ表示装置３又は情報処理端末４にユーザーの目線方向を検出するための撮像部が備えられていた場合に、前記の視聴関連情報に含まれるとする。
【００１４】
ユーザーが外出しているか否かを示す情報は、ユーザーが情報処理端末４を利用している場合、情報処理端末４が通信を行うために接続しているアクセスポイントが、予め広告配信システム１に登録されたアクセスポイントに接続されているか否かによってコンテンツ表示装置３又は情報処理端末４が、ユーザーが外出しているか否かを判定することで検出される情報である。コンテンツ表示装置３が前記の判定を行う場合、情報処理端末４から、情報処理端末４が接続しているアクセスポイントを示す情報を取得して前記の判定を行い、情報処理端末４が前記の判定を行う場合、判定結果をコンテンツ表示装置３に送信する。
【００１５】
なお、本実施形態で説明するコンテンツとは、例えば、ブロードキャスト放送されたテレビジョン番組やラジオ番組、インターネット等を介して視聴可能なＶＯＤ(Video  OnDemand)、ＤＶＤ（登録商標）プレイヤーやＢＤ（Blu-ray  Disc、登録商標）プレイヤー等によって再生されるＨＤＭＩ（High-Definition  Multimedia  Interface、登録商標）端子等の外部入力端子を介して視聴可能な動画像（記録動画像や映画、ドラマ、ミュージッククリップ等の映像作品）を示す。なお、以下では、説明の便宜上、ブロードキャスト放送されたテレビジョン番組やラジオ番組を放送コンテンツ、外部入力端子を介して視聴可能な動画像を外部入力コンテンツと称して説明する。
【００１６】
また、スポンサーが予算を拠出しているコンテンツには、スポンサーが販売の促進や知名度の上昇を目的としたスポンサーの広告が表示されるものがある。以下では、説明の便宜上、スポンサーの広告が表示されるコンテンツを広告有コンテンツと称し、スポンサーの広告が表示されないコンテンツを広告無コンテンツと称して説明する。外部入力コンテンツは、広告無コンテンツの一例である。また、以下では、広告有スポンサーに表示される広告を、原広告と称して説明する。
【００１７】
なお、広告配信システム１がコンテンツ表示装置３を介して情報処理端末４に広告を配信する場合、広告配信システム１が前述した視聴関連情報に応じて広告をコンテンツ表示装置３に配信し、コンテンツ表示装置３がユーザーからの設定であってメインスクリーン（すなわち、コンテンツ表示装置３の表示部）とセカンドスクリーン（すなわち、情報処理端末４の表示部）のうちいずれか一方又は両方に表示するかの設定に応じて、前記の設定が示すスクリーン（メインスクリーンとセカンドスクリーンのうちいずれか一方又は両方）にコンテンツ表示装置３から配信された広告を表示させる。
【００１８】
また、広告配信システム１がコンテンツ表示装置３を介さずに情報処理端末４に前記の広告を配信する場合、広告配信システム１は、コンテンツ表示装置３からコンテンツ表示装置３を示す情報（例えば、識別ＩＤ等）と、情報処理端末４を示す情報（例えば、識別ＩＤ）と、表示させるスクリーン（メインスクリーンとセカンドスクリーンのうちいずれか一方又は両方）を示す情報とを対応付けた設定情報を予めコンテンツ表示装置３又は情報処理端末４から取得しており、前記の視聴関連情報と前記の設定情報とに基づいて広告の配信を制御する。
【００１９】
以下では、説明の便宜上、広告配信システム１がコンテンツ表示装置３を介して情報処理端末４に広告を配信する場合について説明する。なお、前記の場合に代えて、広告配信システム１がコンテンツ表示装置３を介さずに情報処理端末４に前記の広告を配信する場合に対しても、以下に説明する広告配信システム１による広告の配信の制御が適用できる。
【００２０】
広告配信装置２は、広告ＤＢサーバー５から各種の広告を取得する。以下では、説明の便宜上、この広告は、前述した原広告とは異なるスポンサーの広告であるとし、付加広告と称して説明する。なお、付加広告は、原広告と同じ広告であってもよい。広告配信装置２は、コンテンツ表示装置３からコンテンツ表示装置３及び情報処理端末４が表示しているコンテンツの視聴に係る情報を視聴関連情報として取得する。付加広告は、広告の一例である。
【００２１】
広告配信装置２は、さらに、コンテンツ表示装置３からコンテンツ表示装置３及び情報処理端末４が表示しているコンテンツが広告有コンテンツと広告無コンテンツのうちいずれであるかを識別する情報を広告有無情報として取得する。広告配信装置２は、視聴関連情報に基づいてコンテンツ表示装置３及び情報処理端末４に表示されているコンテンツに、そのコンテンツを放送している放送局を示すブロードキャストＩＤが対応付けられている場合、そのコンテンツのブロードキャストＩＤと現在時刻に基づいてコンテンツ情報サーバー６からそのコンテンツを特定し、特定されたコンテンツに係るコンテンツ情報をコンテンツ情報サーバー６から取得する。以下では、説明の便宜上、広告配信装置２がブロードキャストＩＤと現在時刻に基づいてコンテンツ情報を取得することを、広告配信装置２がブロードキャストＩＤに基づいてコンテンツ情報を取得すると称して説明する。なお、コンテンツ情報とは、コンテンツの内容を記述した情報であり、例えば、コンテンツを識別するコンテンツＩＤと、ブロードキャストＩＤと、そのコンテンツ内で起こった出来事（以下、イベントと称する）に係る情報等とが対応付けられた情報である。
【００２２】
イベントとは、例えば、出演者が発言したり、映像が流れたりといった一つ一つの出来事を示す。イベントに係る情報とは、例えば、イベント毎に、イベントが起こった時刻（以下、イベント開始時刻と称する）、イベントが終わった時刻（以下、イベント終了時刻と称する）、イベント内容情報、イベントが起こった時のコーナー名（以下、イベント包含コーナーという）、及びそのイベントが起こったコンテンツに対応付けられたブロードキャストＩＤ等が記述された情報である。イベント内容情報とは、例えば、イベント中に紹介された店舗名、商品名や、イベント時に映った出演者の発言内容、出演者名、出演者の動き、出演者の表情等をテキスト情報で記録したものである。
【００２３】
広告配信装置２は、取得された視聴関連情報、広告有無情報、コンテンツ情報のそれぞれに基づいて、取得された付加広告のコンテンツ表示装置３への配信を制御する。ここで、図２と図３を参照して、広告配信装置２による付加広告の配信の制御について説明する。図２は、広告配信装置２によって付加広告の配信を行う場合と行わない場合のそれぞれを示す一覧の一例を示す図である。図３は、広告配信装置２によって付加広告の配信を行う場合と行わない場合のそれぞれを模式的に表す図の一例である。
【００２４】
広告有コンテンツがコンテンツ表示装置３に表示されている場合、コンテンツには、広告配信装置２から配信される付加広告とは異なる別のスポンサーの原広告が表示されるため、広告配信装置２が付加広告を配信してしまうと、原広告によって視聴者に与えると期待される効果（例えば、販売促進の効果等）を低減させてしまう恐れがある。そのため、広告配信装置２は、図２に示したように、コンテンツ表示装置３と情報処理端末４のうちいずれか一方に広告有コンテンツが表示されている場合、コンテンツ表示装置３と情報処理端末４のいずれにも付加広告を配信しない（図２において「×」によって示す）。
【００２５】
また、広告配信装置２は、コンテンツ表示装置３と情報処理端末４のいずれにも広告無コンテンツが表示されている場合、コンテンツ表示装置３に付加広告を配信する（図２において「○」によって示す）。なお、前記の配信された付加広告は、前述した通り、本実施形態においてコンテンツ表示装置３がセカンドスクリーンに表示させる設定であった場合、コンテンツ表示装置３が配信された付加広告を情報処理端末４に出力することで情報処理端末４の表示部に表示される。また、広告配信装置２は、コンテンツ表示装置３及び情報処理端末４のうちいずれか一方に外部入力コンテンツが表示されており、且つコンテンツ表示装置３及び情報処理端末４の両方に広告有コンテンツが表示されていない場合、原広告が表示されないため、コンテンツ表示装置３に付加広告を配信する。
【００２６】
コンテンツ表示装置３は、コンテンツを表示（再生）するための表示装置であり、例えば、テレビジョン受像機等のブロードキャスト放送されたコンテンツや、ＨＤＭＩ端子等の外部入力端子を介して外部入力コンテンツを表示可能な装置である。コンテンツ表示装置３は、自装置が表示しているコンテンツに係る視聴関連情報と、前記のコンテンツに係る広告有無情報とを広告配信装置２に出力する。以下では、コンテンツ表示装置３は、予め決められた周期（例えば、数秒程度）が経過する毎に視聴関連情報及び広告有無情報を広告配信装置２に出力するとして説明するが、これに代えて、広告配信装置２からの要求に応じて視聴関連情報及び広告有無情報を広告配信装置２に出力する構成であってもよい。
【００２７】
コンテンツ表示装置３は、広告配信装置２から配信された付加広告を取得し、取得された付加広告を表示させる。また、コンテンツ表示装置３は、情報処理端末４がセカンドスクリーンとして機能するように設定されている場合（コンテンツ表示装置３にセカンドスクリーンを示す情報として情報処理端末４を示す情報が登録されている場合等）であってセカンドスクリーンに付加広告を表示させる設定である場合、広告配信装置２から配信された付加広告を情報処理端末４に出力して表示させる。
【００２８】
情報処理端末４は、専用のアプリケーション等によってコンテンツ表示装置３のセカンドスクリーンとして機能する端末であり、例えば、有機ＥＬ（Electro  Luminescence）ディスプレイ等の各種のディスプレイやタブレットＰＣ（Personal  Computer）、ノートＰＣ、デスクトップＰＣ、携帯電話端末、多機能携帯電話端末（スマートフォン）、電子書籍リーダー、ＰＤＡ（Personal  Digital  Assistant）、その他のディスプレイを有する家電（スマート家電等）等であり、広告配信装置２から配信される付加広告を表示することが可能な前記の専用のアプリケーションがインストールされている。情報処理端末４は、予めコンテンツ表示装置３のセカンドスクリーンとして機能するようにコンテンツ表示装置３を識別する識別ＩＤが登録されているものとする。
【００２９】
広告ＤＢサーバー５は、付加広告を記憶するサーバーである。広告ＤＢサーバー５は、各種の業者の販売促進や知名度の上昇を目的とした付加広告が記憶されており、広告配信装置２からの要求に応じて各種の付加広告を出力する。
コンテンツ情報サーバー６は、コンテンツ情報を記憶するサーバーである。コンテンツ情報サーバー６は、広告配信装置２からの要求に応じて各種のコンテンツ情報を出力する。
【００３０】
以下、図４を参照して、広告配信装置２のハードウェア構成について説明する。図４は、広告配信装置２のハードウェア構成の一例を示す図である。広告配信装置２は、例えば、ＣＰＵ（Central  Processing  Unit）２１と、記憶部２２と、入力受付部２３と、表示部２４と、通信部２５を備え、通信部２５を介してネットワークに接続された各種サーバーや各種装置と通信を行う。これらの構成要素は、バスＢｕｓを介して相互に通信可能に接続されている。ＣＰＵ２１は、記憶部２２に格納された各種プログラムを実行する。
【００３１】
記憶部２２は、例えば、ＨＤＤ（Hard  Disk  Drive）やＳＳＤ（Solid  State  Drive）、ＥＥＰＲＯＭ（Electrically  Erasable  Programmable  Read−Only  Memory）、ＲＯＭ（Read−Only  Memory）、ＲＡＭ（Random  Access  Memory）などを含み、広告配信装置２が処理する各種情報や画像、プログラムを格納する。なお、記憶部２２は、広告配信装置２に内蔵されるものに代えて、ＵＳＢ等のデジタル入出力ポート等によって接続された外付け型の記憶装置でもよい。
【００３２】
入力受付部２３は、例えば、キーボードやマウス、タッチパッド、その他の入力装置である。なお、入力受付部２３は、表示部２４とともにタッチパネルとして構成されてもよい。
表示部２４は、例えば、液晶ディスプレイパネル、あるいは、有機ＥＬディスプレイパネルである。
通信部２５は、例えば、ＵＳＢ等のデジタル入出力ポートやイーサネット（登録商標）ポート等を含んで構成される。
【００３３】
なお、コンテンツ表示装置３と情報処理端末４は、図４に示したハードウェア構成と同様のハードウェア構成を備え、以下では、広告配信装置２のハードウェア構成とコンテンツ表示装置３のハードウェア構成を区別するため、それらをＣＰＵ３１、記憶部３２、入力受付部３３、表示部３４、通信部３５と称する。また、広告配信装置２のハードウェア構成と情報処理端末４のハードウェア構成を区別するため、それらをＣＰＵ４１、記憶部４２、入力受付部４３、表示部４４、通信部４５と称する。
【００３４】
以下、図５を参照して、広告配信装置２の機能構成について説明する。図５は、広告配信装置２の機能構成の一例を示す図である。広告配信装置２は、記憶部２２と、通信部２５と、制御部２６を備える。また、制御部２６は、広告取得部２６１と、第１取得部２６３と、第２取得部２６５と、コンテンツ情報取得部２６６と、配信制御部２６７を備える。これらの制御部２６が備える機能部のうち一部又は全部は、例えば、ＣＰＵ２１が、記憶部２２に記憶された各種プログラムを実行することで実現される。また、これらの制御部２６が備える機能部のうち一部または全部は、ＬＳＩ（Large  Scale  Integration）やＡＳＩＣ（Application  Specific  Integrated  Circuit）等のハードウェア機能部であってもよい。
【００３５】
広告取得部２６１は、広告ＤＢサーバー５から付加広告を取得する。
第１取得部２６３は、コンテンツ表示装置３から視聴関連情報を取得する。なお、第１取得部２６３は、コンテンツ表示装置３から所定の周期で送信された視聴関連情報を取得する構成であるとするが、これに代えて、例えば、コンテンツ表示装置３へ所定の周期で視聴関連情報の取得を要求し、その要求に対する応答として視聴関連情報を取得する構成であっても良い。また、第１取得部２６３は、コンテンツ表示装置３から所定のタイミングで送信された視聴関連情報を取得する構成であってもよい。所定のタイミングとは、例えば、コンテンツ表示装置３と情報処理端末４のうちいずれか一方にのみコンテンツが表示されている場合、以下に示したＡ１〜Ａ５のタイミングを任意に組み合わせたタイミングである。
【００３６】
Ａ１）コンテンツが広告有コンテンツから広告無コンテンツに変わった時
Ａ２）コンテンツが広告有コンテンツから外部入力コンテンツに変わった時
Ａ３）コンテンツが広告無コンテンツ又は外部入力コンテンツの時であって、所定の時間（例えば、数秒程度）が経過した時
Ａ４）コンテンツが広告無コンテンツ又は外部入力コンテンツの時であってコンテンツ表示装置３の電源がオンにされた直後
Ａ５）コンテンツが広告無コンテンツ又は外部入力コンテンツの時であって、コンテンツを表示している表示部３４からユーザーの目線が離れ、その後にユーザーの目線が前記の表示部３４へ戻った時
【００３７】
また、所定のタイミングとは、例えば、コンテンツ表示装置３と情報処理端末４の両方にコンテンツが表示されている場合であって情報処理端末４がセカンドスクリーンとして機能している場合、以下に示したＢ１〜Ｂ５のタイミングを任意に組み合わせたタイミングである。
【００３８】
Ｂ１）前記の両方のコンテンツから広告有コンテンツが消えた時
Ｂ２）前記の両方のコンテンツがそれぞれ広告無コンテンツ又は外部入力コンテンツの時であって、前記の所定の時間が経過した時
Ｂ３）前記の両方のコンテンツがそれぞれ広告無コンテンツ又は外部入力コンテンツの時であって前記の両方のうちいずれか一方の電源がオンにされた直後
Ｂ４）前記の両方のコンテンツがそれぞれ広告無コンテンツ又は外部入力コンテンツの時であって、コンテンツを表示している表示部３４又は表示部４４からユーザーの目線が離れ、その後にユーザーの目線が前記の表示部３４又は表示部４４へ戻った時
Ｂ５）前記の両方のコンテンツがそれぞれ広告無コンテンツ又は外部入力コンテンツの時であって、コンテンツ表示装置３の電源がオフにされた直後
【００３９】
また、所定のタイミングとは、例えば、コンテンツ表示装置３と情報処理端末４のうちいずれか一方にコンテンツが表示されている場合であって情報処理端末４がセカンドスクリーンとして機能している場合、以下に示したＣ１〜Ｃ５のタイミングを任意に組み合わせたタイミングである。
【００４０】
Ｃ１）コンテンツから広告有コンテンツが消えた時
Ｃ２）コンテンツが広告無コンテンツ又は外部入力コンテンツの時であって、前記の所定の時間が経過した時
Ｃ３）コンテンツが広告無コンテンツ又は外部入力コンテンツの時であって前記の両方のうちいずれか一方の電源がオンにされた直後
Ｃ４）コンテンツが広告無コンテンツ又は外部入力コンテンツの時であって、コンテンツを表示している表示部３４又は表示部４４からユーザーの目線が離れ、その後にユーザーの目線が前記の表示部３４又は表示部４４へ戻った時
Ｃ５）コンテンツが広告無コンテンツ又は外部入力コンテンツの時であって、コンテンツ表示装置３の電源がオフにされた直後
【００４１】
第２取得部２６５は、コンテンツ表示装置３から広告有無情報を取得する。なお、第１取得部２６３は、コンテンツ表示装置３から所定の周期で送信された広告有無情報を取得する構成であるとするが、これに代えて、例えば、コンテンツ表示装置３へ所定の周期で広告有無情報の取得を要求し、その要求に対する応答として広告有無情報を取得する構成であっても良い。また、第２取得部２６５は、コンテンツ表示装置３から前記の所定のタイミングで送信された広告有無情報を取得する構成であってもよい。
また、第１取得部２６３と第２取得部２６５は、第１取得部２６３と第２取得部２６５のうちいずれか一方の機能部にまとめられた構成であっても良い。その場合、視聴関連情報と広告有無情報は、互いのどちらかに含まれているものとする。
【００４２】
コンテンツ情報取得部２６６は、コンテンツ情報サーバー６からコンテンツ情報を取得する。
配信制御部２６７は、第１取得部２６３により取得された視聴関連情報と、第２取得部２６５により取得された広告有無情報と、コンテンツ情報取得部２６６により取得されたコンテンツ情報とに基づいて、広告取得部２６１により取得された付加広告をコンテンツ表示装置３に配信するか否かを判定する。配信制御部２６７は、前記の判定により付加広告を配信すると判定した場合、通信部２５を介してコンテンツ表示装置３に付加広告を配信する。また、配信制御部２６７は、前記の判定により付加広告を配信しないと判定した場合、通信部２５を介してコンテンツ表示装置３に付加広告を配信しない。
【００４３】
以下、図６を参照して、コンテンツ表示装置３の機能構成について説明する。図６は、コンテンツ表示装置３の機能構成の一例を示す図である。コンテンツ表示装置３は、記憶部３２と、表示部３４と、通信部３５と、制御部３６を備える。また、制御部３６は、第３取得部３６１と、出力制御部３６３と、表示制御部３６５を備える。
【００４４】
第３取得部３６１は、通信部３５を介して広告配信装置２から付加広告を取得する。  出力制御部３６３は、自装置の視聴関連情報を、通信部３５を介して広告配信装置２に出力する。また、出力制御部３６３は、情報処理端末４がセカンドスクリーンとして機能している場合、自装置及び情報処理端末４に表示されているコンテンツに係る視聴関連情報を、通信部３５を介して広告配信装置２に出力する。なお、出力制御部３６３は、所定の周期で視聴関連情報を広告配信装置２に出力する構成であるが、これに代えて、例えば、自装置の視聴状況及び、電源ＯＮ処理完了時，ＯＦＦ処理の開始時に出力する構成でもよいし、広告配信装置２からの要求に応じて視聴関連情報を出力する構成であってもよい。
【００４５】
また、出力制御部３６３は、自装置に表示されているコンテンツに係る広告有無情報を、通信部３５を介して広告配信装置２に出力する。また、出力制御部３６３は、情報処理端末４がセカンドスクリーンとして機能している場合、自装置及び情報処理端末４に表示されているコンテンツに係る広告有無情報を、通信部３５を介して広告配信装置２に出力する。なお、出力制御部３６３は、所定の周期で広告有無情報を広告配信装置２に出力する構成であるが、これに代えて、例えば、自装置の視聴状況及び、電源ＯＮ処理完了時，ＯＦＦ処理の開始時に出力する構成でもよいし、広告配信装置２からの要求に応じて広告有無情報を出力する構成であってもよい。また、出力制御部３６３は、情報処理端末４が自装置のセカンドスクリーンとして機能している場合であって付加広告を情報処理端末４に表示させるようにユーザーに設定されている場合、広告配信装置２から取得された付加広告を情報処理端末４に出力して表示させる。
【００４６】
表示制御部３６５は、情報処理端末４がセカンドスクリーンとして機能していない場合、第３取得部３６１により取得された付加広告を表示部３４に表示させる。また、表示制御部３６５は、情報処理端末４がセカンドスクリーンとして機能している場合であって付加広告をメインスクリーン（すなわち、自装置）に表示させるようにユーザーに設定されている場合、第３取得部３６１により取得された付加広告を表示部３４に表示させる。
【００４７】
以下、図７を参照して、情報処理端末４の機能構成について説明する。図７は、情報処理端末４の機能構成の一例を示す図である。情報処理端末４は、表示部４４と、通信部４５と、制御部４６を備える。また、制御部４６は、第４取得部４６１と、表示制御部４６３を備える。
【００４８】
第４取得部４６１は、コンテンツ表示装置３から付加広告を取得する。
表示制御部４６３は、コンテンツ表示装置３のセカンドスクリーンとして機能している場合であってセカンドスクリーンに付加広告を表示させるようにユーザーに設定されている場合、第４取得部４６１により取得された付加広告を表示部４４に表示させる。
【００４９】
以下、図８を参照して、制御部２６により付加広告の配信を制御する処理について説明する。図８は、制御部２６により付加広告の配信を制御する処理の一例を示すフローチャートである。以下では、一例として、コンテンツ表示装置３にコンテンツが表示され、情報処理端末４にコンテンツが表示されていない場合について説明する。まず、広告取得部２６１は、広告ＤＢサーバー５から付加広告を取得するステップＳ１００）。次に、第１取得部２６３は、コンテンツ表示装置３から視聴関連情報を取得する（ステップＳ１１０）。次に、第２取得部２６５は、コンテンツ表示装置３から広告有無情報を取得する（ステップＳ１２０）。
【００５０】
次に、配信制御部２６７は、ステップＳ１１０で取得された視聴関連情報に基づいて、コンテンツ表示装置３に表示されているコンテンツが外部入力コンテンツであるか否かを判定する（ステップＳ１３０）。配信制御部２６７が前記のコンテンツが外部入力コンテンツではないと判定した場合（ステップＳ１３０−ＮＯ）、コンテンツ情報取得部２６６は、ステップＳ１１０で取得された視聴関連情報からコンテンツ表示装置３と情報処理端末４のそれぞれに表示されているコンテンツを抽出し、抽出されたコンテンツに係るコンテンツ情報をコンテンツ情報サーバー６から取得する（ステップＳ１５０）。そして、配信制御部２６７は、ステップＳ１２０で取得された広告有無情報と、ステップＳ１５０で取得されたコンテンツ情報とに基づいて、コンテンツ表示装置３に表示されているコンテンツが広告有コンテンツか否かを判定する（ステップＳ１６０）。一方、配信制御部２６７が前記のコンテンツが外部入力コンテンツであると判定した場合（ステップＳ１３０−ＹＥＳ）、配信制御部２６７は、付加広告を配信すると判定し、付加広告をコンテンツ表示装置３に配信する（ステップＳ１４０）。
【００５１】
ここで、配信制御部２６７の広告有コンテンツか否かを判定する処理について説明する。コンテンツ表示装置３に表示されているコンテンツが外部入力コンテンツでは無い場合、ステップＳ１５０で取得されたコンテンツ情報を参照し、コンテンツ表示装置３に表示されているコンテンツを識別する情報と、そのコンテンツを放送しているブロードキャストＩＤとを抽出する。
【００５２】
そして、配信制御部２６７は、抽出されたコンテンツを識別する情報とブロードキャストＩＤに基づいて、そのコンテンツが広告有コンテンツか否かを判定する。配信制御部２６７は、例えば、この判定を予め記憶部３２に記憶された広告有コンテンツを示す情報に基づいて行う。広告有コンテンツを示す情報とは、例えば、原広告を表示させない放送局を識別するブロードキャストＩＤや、原広告を表示させないコンテンツを識別する情報等を含む。
【００５３】
配信制御部２６７、この判定によって広告有コンテンツであると判定した場合、例えば、ステップＳ１２０で取得された広告有無情報を用いた判定を行わない。また、配信制御部２６７は、この判定によって広告有コンテンツではないと判定した場合、ステップＳ１２０で取得された広告有無情報に基づいて、コンテンツ表示装置３に表示されているコンテンツが広告有コンテンツか否かを判定する。なお、配信制御部２６７は、ステップＳ１６０の処理を省略し、前記のコンテンツ情報に基づく広告有コンテンツか否かの判定を行わない構成であってもよく、ステップＳ１２０の処理を省略し、前記の広告有無情報に基づく広告有コンテンツか否かの判定を行わない構成であってもよい。
【００５４】
ステップＳ１６０でコンテンツ表示装置３に表示されているコンテンツが広告有コンテンツであると判定した場合（ステップＳ１６０−ＹＥＳ）、配信制御部２６７は、付加広告を配信しないと判定し、ステップＳ１１０に戻って次の視聴関連情報を取得する。一方、コンテンツ表示装置３に表示されているコンテンツが広告有コンテンツではないと判定した場合（ステップＳ１６０−ＮＯ）、配信制御部２６７は、付加広告を配信すると判定し、付加広告をコンテンツ表示装置３に配信する（ステップＳ１４０）。
【００５５】
ここで、図９を参照して、広告配信処理によって配信される付加広告の種類について説明する。図９は、広告配信処理によって配信される付加広告の種類の一覧の一例を示す図である。図９に示したように、付加広告には、テキスト（文字列や記号等）のみによって構成されるテキスト広告、写真データによって構成される写真広告、動画像によって構成される動画広告、音声データによって構成される音声のみの広告、目視できないが別の機器を介することで見える広告（例えば、拡張現実を用いて多機能携帯電話端末等を介すことで見える広告）、匂い発生器を用いて特定の匂いを発生させる匂い広告等の広告が含まれる。
【００５６】
以下、図１０を参照して、コンテンツ表示装置３の制御部３６が付加広告を取得した時に付加広告を表示する処理について説明する。図１０は、コンテンツ表示装置３の制御部３６が付加広告を取得した時に付加広告を表示する処理の一例を示すフローチャートである。以下では、制御部３６の第３取得部３６１が広告配信装置２から付加広告を取得した後の処理について説明する。まず、出力制御部３６３は、自装置の設定が、情報処理端末４がセカンドスクリーンとして機能し、且つ付加広告をセカンドスクリーンに表示させるようにユーザーにより設定されているか否かを判定する（ステップＳ２００）。
【００５７】
自装置の設定が、情報処理端末４がセカンドスクリーンとして機能し、且つ付加広告をセカンドスクリーンに表示させるようにユーザーにより設定されていると判定した場合（ステップＳ２００−ＹＥＳ）、出力制御部３６３は、広告配信装置２から取得された付加広告を情報処理端末４に出力して情報処理端末４に表示させる（ステップＳ２１０）。そして、表示制御部３６５は、自装置の設定が、自装置の表示部３４に付加広告を表示させるようにユーザーにより設定されているか否かを判定する（ステップＳ２２０）。
【００５８】
自装置の設定が、自装置の表示部３４に付加広告を表示させるようにユーザーにより設定されていると判定した場合（ステップＳ２２０−ＹＥＳ）、表示制御部３６５は、広告配信装置２から取得された付加広告を表示部３４に表示させる（ステップＳ２３０）。一方、自装置の設定が、自装置の表示部３４に付加広告を表示させるようにユーザーにより設定されていないと判定した場合（ステップＳ２２０−ＮＯ）、表示制御部３６５は、処理を終了する。
【００５９】
一方、ステップＳ２００で、自装置の設定が、情報処理端末４がセカンドスクリーンとして機能し、且つ付加広告をセカンドスクリーンに表示させるようにユーザーにより設定されていないと出力制御部３６３が判定した場合（ステップＳ２００−ＮＯ）、表示制御部３６５は、ステップＳ２３０に遷移し、広告配信装置２から取得された付加広告を表示部３４に表示させる。
【００６０】
以下、図１１を参照して、広告配信装置２により付加広告が配信され、配信された付加広告をコンテンツ表示装置３が表示する処理の流れについて説明する。図１１は、広告配信装置２により付加広告が配信され、配信された付加広告をコンテンツ表示装置３が表示する処理の流れの一例を示すシーケンス図である。まず、広告配信装置２は、広告ＤＢサーバー５から付加広告を取得する（ステップＳ３００）。次に、コンテンツ表示装置３は、広告配信装置２に対して自装置に表示されているコンテンツに係る視聴関連情報と、前記のコンテンツに係る広告有無情報を出力する（ステップＳ３００）。
【００６１】
次に、広告配信装置２は、コンテンツ表示装置３から視聴関連情報及び広告有無情報を取得する。そして、広告配信装置２は、取得された視聴関連情報に基づいてコンテンツ表示装置３に表示されたコンテンツを抽出し、抽出されたコンテンツに係るコンテンツ情報をコンテンツ情報サーバー６から取得する。そして、広告配信装置２は、視聴関連情報と、広告有無情報と、コンテンツ情報とに基づいて、コンテンツ表示装置３に付加広告を配信するか否かを判定する（ステップＳ３２０）。以下では、ステップＳ３２０における判定において、広告配信装置２は、コンテンツ表示装置３に付加広告を配信しない（例えば、コンテンツ表示装置３に広告有コンテンツが表示されている）と判定したとして説明する。
【００６２】
ステップＳ３２０から時間が経過した後、コンテンツ表示装置３は、広告配信装置２に対して自装置に表示されているコンテンツに係る視聴関連情報と、前記のコンテンツに係る広告有無情報を出力する（ステップＳ３３０）。次に、広告配信装置２は、取得された視聴関連情報に基づいてコンテンツ表示装置３に表示されたコンテンツを抽出し、抽出されたコンテンツに係るコンテンツ情報をコンテンツ情報サーバー６から取得する。そして、広告配信装置２は、視聴関連情報と、広告有無情報と、コンテンツ情報とに基づいて、コンテンツ表示装置３に付加広告を配信するか否かを判定する（ステップＳ３４０）。以下では、ステップＳ３４０における判定において、広告配信装置２は、コンテンツ表示装置３に付加広告を配信する（例えば、コンテンツ表示装置３に外部入力コンテンツが表示されている）と判定したとして説明する。
【００６３】
ここで、図１２を参照して、図１１に示したステップＳ３１０からステップＳ３４０までの間にコンテンツ表示装置３に表示されているコンテンツの変化について説明する。図１２は、図１１に示したステップＳ３１０からステップＳ３４０までの間にコンテンツ表示装置３に表示されているコンテンツの変化の一例を示す図である。図１１に示したステップＳ３１０の時点において、コンテンツ表示装置３の表示部３４には、図１２に示したように広告有コンテンツが表示されている。図１１に示したステップＳ３２０における処理からステップＳ３３０における処理が行われるまでの時間において、コンテンツ表示装置３は、図１２に示したように広告有コンテンツを表示している状態から外部入力コンテンツを表示している状態に遷移している。この遷移が視聴関連情報に反映されるため、広告配信装置２は、図１１に示したステップＳ３４０において、付加広告を配信すると判定する。
【００６４】
ステップＳ３４０で付加広告をコンテンツ表示装置３に配信すると判定した後、広告配信装置２は、ステップＳ３００で取得された付加広告をコンテンツ表示装置３に配信する（ステップＳ３５０）。なお、情報処理端末４がコンテンツ表示装置３のセカンドスクリーンとして機能する場合、コンテンツ表示装置３は、自装置と情報処理端末４のうちいずれか一方又は両方に広告配信装置２から取得された付加広告を表示するための図１０に示したフローチャートの処理を行う。
【００６５】
ここで、図１３を参照して、広告配信装置２により配信された付加広告の表示について説明する。図１３は、広告配信装置２により配信された付加広告がコンテンツ表示装置３に表示された場合の表示例と、情報処理端末４に表示された場合の表示例とを示す図である。図１３には、広告配信装置２により配信された付加広告がコンテンツ表示装置３に表示された場合の表示例を示す。
【００６６】
図１３において、コンテンツ表示装置３は、付加広告の他に、表示部３４に外部入力コンテンツを表示しているものとして説明する。図１３に示したように、コンテンツ表示装置３は、例えば、表示部３４の右下部に付加広告ＣＭ１を表示する。なお、コンテンツ表示装置３は、付加広告を表示部３４の右上部、左上部、左下部、上端部、下端部、右端部、左端部等の表示部３４上の他の位置に表示させる構成であってもよい。また、図１３において、付加広告ＣＭ１は、テキスト情報による広告が表示されているが、テキスト情報、動画像、静止画像、音声、匂い等の広告として機能する各種の情報のうちの任意の組み合わせによる広告であってもよい。
【００６７】
また、付加広告ＣＭ１には、詳細ボタンＢ１と隠すボタンＢ２が表示されている。ユーザーが詳細ボタンＢ１を選択すると、コンテンツ表示装置３は、付加広告ＣＭ１の詳細情報を表示部３４に表示させる。また、ユーザーが隠すボタンＢ２を選択すると、コンテンツ表示装置３は、表示部３４上に付加広告ＣＭ１を表示させない状態となる。なお、付加広告ＣＭ１には、詳細ボタンＢ１及び隠すボタンＢ２のようなボタンが表示されていてもよく、表示されていなくてもよい。
【００６８】
図１４には、広告配信装置２により配信された付加広告が情報処理端末４に表示された場合の表示例を示す。図１４において、情報処理端末４は、付加広告の他に、表示部４４にコンテンツ表示装置３に表示されているコンテンツを示す情報と、コンテンツ表示装置に表示可能なコンテンツ表（図中では、裏番組表として示した）を表示しているものとして説明する。
【００６９】
図１４に示したように、情報処理端末４は、例えば、表示部４４の下端部に付加広告ＣＭ２を表示する。なお、情報処理端末４は、付加広告を表示部４４の右上部、右下部、左上部、左下部、上端部、右端部、左端部等の表示部４４上の他の位置に表示させる構成であってもよい。また、図１４において、付加広告ＣＭ２は、テキスト情報による広告が表示されているが、テキスト情報、動画像、静止画像、音声、匂い等の広告として機能する各種の情報のうちの任意の組み合わせによる広告であってもよい。
【００７０】
また、付加広告ＣＭ２には、付加広告ＣＭ１と同様に詳細ボタンＢ３と隠すボタンＢ４が表示されている。ユーザーが詳細ボタンＢ３を選択すると、情報処理端末４は、付加広告ＣＭ２の詳細情報を表示部４４に表示させる。また、ユーザーが隠すボタンＢ４を選択すると、情報処理端末４は、表示部４４上に付加広告ＣＭ２を表示させない状態となる。
なお、付加広告ＣＭ２には、詳細ボタンＢ３及び隠すボタンＢ４のようなボタンが表示されていてもよく、表示されていなくてもよい。
【００７１】
なお、コンテンツ表示装置３と情報処理端末４のうちいずれか一方又は両方は、広告配信装置２から付加広告が配信されたタイミングで図１３に示したようにそれぞれの表示部に付加広告を表示させる構成に代えて、図１５に示したように、コンテンツ表示装置３と情報処理端末４のうちいずれか一方又は両方がユーザーにより設定画面を表示させた（例えば、リモートコントローラーにより設定キーを押下された）場合に付加広告を表示する構成であってもよい。
【００７２】
図１５は、コンテンツ表示装置３又は情報処理端末４に設定画面が表示された様子の一例を示す図である。
図１５において、コンテンツ表示装置３又は情報処理端末４は、設定画面及び付加広告の他に、表示部に外部入力コンテンツを表示しているものとして説明する。図１５において、コンテンツ表示装置３又は情報処理端末４は、表示部の右上部に設定画面Ｓ１を表示しており、右下部に付加広告ＣＭ３を表示している。コンテンツ表示装置３又は情報処理端末４は、ユーザーにより設定画面Ｓ１を表示させた場合に付加広告ＣＭ３を表示することにより、ユーザーが所望の時にのみ付加広告ＣＭ３を表示させることができ、ユーザーによるコンテンツの視聴を妨げることを抑制することができる。
【００７３】
以下、図１６を参照して、広告配信装置２による付加広告の配信の制御により得られる効果について説明する。図１６は、広告配信装置２による付加広告の配信の制御により得られる効果の一例を説明するための図である。図１６に示した配信制御内容Ｘ１及び配信制御内容Ｘ２は、広告配信装置２とは異なる広告配信装置Ｘであって視聴関連情報に基づく付加広告の配信の制御を行わない広告配信装置Ｘによって行われた付加広告の配信の制御の内容（以下、配信制御内容と称する）が記載されている。また、図１６に示した配信制御内容Ｙ１及び配信制御内容Ｙ２は、広告配信装置２によって行われた付加広告の配信制御内容が記載されている。
【００７４】
付加広告は、広告を見る人（例えば、コンテンツ表示装置３に表示されたコンテンツの視聴者等）に対して付加的な広告効果を与える。広告効果とは、広告によって得られる効果であり、例えば、販売の促進が目的の広告の場合、販売促進効果が広告効果に相当する。従って、付加広告は、各種の配信タイミングで表示させることで、例えば、広告無コンテンツや外部入力コンテンツのように原広告が表示されないコンテンツを視聴している人に対しても付加的に広告効果を与えることができる。
【００７５】
図１６において、前記の配信制御内容Ｘ１、Ｘ２、Ｙ１、Ｙ２のそれぞれが配置された上下方向の位置は、前記の広告効果の高低を示しており、前記の位置が上であればあるほどその位置に示した配信制御内容によって配信された付加広告による広告効果が高く、前記の位置が下であればあるほど前記の付加広告による広告効果が低い。
【００７６】
付加的に広告効果を与えることができる一方で、付加広告は、配信タイミングによって、付加広告が配信されない場合には起こり得ないリスクが生じる場合がある。前記のリスクとは、例えば、広告有コンテンツが表示されている時に付加広告を表示させた場合、付加広告によって付加的な広告効果が得られる代償として、前記の広告有コンテンツに予算を拠出しているスポンサーが本来得られると考えられる原広告による広告効果を減少させてしまい、その結果、原広告のスポンサーや前記のスポンサーの原広告が表示される広告有コンテンツを放送している放送局と、付加広告のスポンサーとの間で各種の権利に係る争いが生じてしまうようなリスクである。
【００７７】
このようなリスクは、損害賠償請求が行われる場合もあるため、生じないようにすることが好ましい。特に、広告有コンテンツを放送している放送局は、広告有コンテンツのスポンサーが拠出している予算によってコンテンツを作成して放送しているため、広告有コンテンツのスポンサーにとって不利益となり得る付加広告を前記の広告有コンテンツに表示させない方が好ましいと考えると予想される。
【００７８】
図１６において、前記の配信制御内容Ｘ１、Ｘ２、Ｙ１、Ｙ２のそれぞれが配置された左右方向の位置は、前記のリスク（以下、権利関係リスクと称する）の高低を示しており、前記の位置が左であればあるほどその位置に示した配信制御内容によって配信された付加広告によって生じ得る権利関係リスクが高く、前記の位置が右であればあるほど前記の付加広告によって生じ得る権利関係リスクが低い。
【００７９】
配信制御内容Ｘ１は、広告配信装置Ｘによってコンテンツ表示装置３が表示中のコンテンツの内容に合わせて、前記のコンテンツを表示中のコンテンツ表示装置３に付加広告を配信する内容を示している。このような配信制御の場合、コンテンツ表示装置３に如何なるコンテンツが表示されていようとも、前記のコンテンツの内容に係る付加広告を配信するため、配信された付加広告による広告効果は高くなるが、広告有コンテンツの内容に係る付加広告も配信してしまうため、権利関係リスクも高くなる。
【００８０】
一方で、配信制御内容Ｙ１は、広告配信装置２によってコンテンツ表示装置３が表示中のコンテンツの内容に合わせて（すなわち、視聴関連情報等に基づいて）広告有コンテンツから広告無コンテンツへの切り替え時にコンテンツ表示装置３に前記の広告無コンテンツに係る付加広告を配信する内容を示している。このような配信制御の場合、原広告が表示されない広告無コンテンツが表示されている時に前記の広告無コンテンツに係る付加広告を配信するため、配信された付加広告による広告効果は高くなり、さらに、広告有コンテンツが表示されている時に付加広告を配信しないため、権利関係リスクは低くなる。
【００８１】
また、配信制御内容Ｘ２は、広告配信装置Ｘによってコンテンツ表示装置３がコンテンツを表示中にランダムに付加広告を配信する内容を示している。このような配信制御の場合、前記のコンテンツの内容とは関係のない付加広告を配信するため、配信された付加広告による広告効果は低くなり、広告有コンテンツを表示中にも付加広告を配信してしまうため、権利関係リスクも高くなる。
【００８２】
一方で、配信制御内容Ｙ１は、広告配信装置２によってコンテンツ表示装置３が表示中のコンテンツの内容に合わせて（すなわち、視聴関連情報等に基づいて）広告有コンテンツから広告無コンテンツへの切り替え時にコンテンツ表示装置３にランダムに選択された付加広告を配信する内容を示している。このような配信制御の場合、原広告が表示されない広告無コンテンツが表示されている時に前記の広告無コンテンツに係らない付加広告を配信する場合があるため、配信された付加広告による広告効果は低くなるが、さらに、広告有コンテンツが表示されている時に付加広告を配信しないため、権利関係リスクは低い。
【００８３】
このように、広告配信装置２による付加広告の配信の制御は、広告有コンテンツがコンテンツ表示装置３と情報処理端末４のうちいずれか一方又は両方に表示されている場合、付加広告の配信を行わないため、権利関係リスクの発生を抑制することができる。これにより、広告配信装置２は、原広告のスポンサーと、付加広告のスポンサーと、各種のコンテンツの放送局とに係る争いが発生することを抑制しつつ、高い広告効果を付加広告の視聴者に与えることができる。
【００８４】
以上説明したように、第１実施形態に係る広告配信システム１は、コンテンツ表示装置３による視聴に係る情報を視聴関連情報として取得し、取得された視聴関連情報に基づいて広告の配信を制御する。これにより、広告配信システム１は、コンテンツや、当該コンテンツへのユーザーの視聴に係る情報に応じて付加広告の配信を制御することができる。
【００８５】
＜第２実施形態＞
以下、本発明の第２実施形態について、図面を参照して説明する。なお、第１実施形態と同様な機能部には同じ符号を付して、説明を省略する。第２実施形態に係る広告配信システム１のコンテンツ表示装置３は、ユーザーの目線方向を検出するための撮像部が備えられており、コンテンツ表示装置３の表示部３４に対するユーザーの目線方向を示す情報が視聴関連情報に含まれているとする。なお、以下では、情報処理端末４は、コンテンツ表示装置３のセカンドスクリーンとして機能しているとして説明する。
【００８６】
また、以下では、コンテンツ表示装置３が取得した付加広告を、セカンドスクリーンとして機能している情報処理端末４に出力する構成に代えて、広告配信装置２がコンテンツ表示装置３と情報処理端末４のうちいずれか一方又は両方に付加広告を配信する構成として説明する。なお、以下で説明する処理をコンテンツ表示装置３が行うことで、広告配信装置２からコンテンツ表示装置３が取得した付加広告を情報処理端末４に出力する構成であってもよい。
【００８７】
前記の撮像部がコンテンツ表示装置３に備えられている場合、第２実施形態に係る広告配信装置２は、視聴関連情報に基づいて付加広告を配信するか否かを判定するとともに、ユーザーがコンテンツ表示装置３の表示部３４から目線を外している（例えば、前記の撮像部により撮像された撮像画像から目が検出できない場合や、前記の撮像画像から目の向きを検出した時に撮像部に向かう方向とは異なる方向を向いている場合等）か否かに基づいて、コンテンツ表示装置３と情報処理端末４のうちいずれに付加広告を配信するかを判定する。
【００８８】
ここで、図１７を参照して、ユーザーの目線がコンテンツ表示装置３から外れた場合における広告配信装置２が広告を配信する配信先について説明する。
図１７は、ユーザーの目線がコンテンツ表示装置３から外れた場合における広告配信装置２が広告を配信する配信先の一覧の一例を示す図である。なお、図１７では、説明の便宜上、コンテンツがコンテンツ表示装置３にのみ表示される場合について説明する。図１７に示したように、広告配信装置２は、コンテンツ表示装置３に広告有コンテンツが表示されている場合、ユーザーの目線がコンテンツ表示装置３に向いている（図１７において、視線あり時と称する）と付加広告を配信せず、ユーザーの目線がコンテンツ表示装置３から外れる（図１７において、視線なし時と称する）と情報処理端末４に付加広告を配信する。これにより、広告配信装置２は、コンテンツ表示装置３のユーザーが広告有コンテンツを視聴していない間、情報処理端末４に付加広告を配信することができ、その結果、図１６において説明した権利関係リスクを回避することができる。
【００８９】
また、広告配信装置２は、コンテンツ表示装置３に広告無コンテンツが表示されている場合、ユーザーの目線がコンテンツ表示装置３に向いているとコンテンツ表示装置３に付加広告を配信し、ユーザーの目線がコンテンツ表示装置３から外れると情報処理端末４に付加広告を配信する。これにより、広告配信装置２は、コンテンツ表示装置３のユーザーの目線に応じて配信先を変えることができ、その結果、ユーザーが広告無コンテンツを視聴しているか否かに拘わらず、ユーザーに付加広告を認識させ続けることができる。
【００９０】
また、広告配信装置２は、コンテンツ表示装置３に外部入力コンテンツが表示されている場合、ユーザーの目線がコンテンツ表示装置３に向いているとコンテンツ表示装置３に付加広告を配信し、ユーザーの目線がコンテンツ表示装置３から外れると情報処理端末４に付加広告を配信する。これにより、広告配信装置２は、コンテンツ表示装置３のユーザーの目線に応じて配信先を変えることができ、その結果、ユーザーが外部入力コンテンツを視聴しているか否かに拘わらず、ユーザーに付加広告を認識させ続けることができる。
【００９１】
また、コンテンツ表示装置３の画面が２画面モードになっており、２画面のうちいずれか一方に広告有コンテンツが表示されている場合、広告配信装置２は、ユーザーの目線がコンテンツ表示装置３に向いていると付加広告を配信せず、ユーザーの目線がコンテンツ表示装置３から外れると情報処理端末４に付加広告を配信する。これにより、広告配信装置２は、例えば、コンテンツ表示装置３のユーザーが広告有コンテンツを視聴していない間、情報処理端末４に付加広告を配信することができ、その結果、図１６において説明した権利関係リスクを回避することができる。
【００９２】
ここで、図１８を参照して、ユーザーの目線に応じてコンテンツ表示装置３と情報処理端末４に広告配信装置２が広告を配信する制御の流れについて説明する。図１８は、ユーザーの目線に応じてコンテンツ表示装置３と情報処理端末４に広告配信装置２が広告を配信する制御の流れの一例を示す図である。ユーザーの目線に応じてコンテンツ表示装置３と情報処理端末４に広告配信装置２が広告を配信する制御の流れの一例を示す図である。図１８において、時間軸Ｔ３は、コンテンツ表示装置３の経過時間を表す時間軸である。また、図１８において、時間軸Ｔ４は、情報処理端末４における経過時間を表す時間軸である。以下では、時間軸Ｔ３と時間軸Ｔ４の原点が一致しているとして説明する。
【００９３】
例えば、コンテンツ表示装置３は、タイミングＴ３−１において広告配信装置２から付加広告の配信が開始されたとする。そして、タイミングＴ３−２において、広告配信装置２は、視聴関連情報に基づいてコンテンツ表示装置３の表示部３４からユーザーの目線が外れたと判定し、その結果、コンテンツ表示装置３への付加広告の配信を停止したとする。この時、広告配信装置２は、タイミングＴ４−１（タイミングＴ３−１と略同時）に情報処理端末４に対して付加広告の配信を開始する。
【００９４】
その後、広告配信装置２は、タイミングＴ４−２（タイミングＴ３−３と略同時）にコンテンツ表示装置３の表示部３４からユーザーの目線が外れたと判定し、その結果、情報処理端末４への付加広告の配信を停止する。また、広告配信装置２は、タイミングＴ３−３（タイミングＴ４−２と略同時）に、コンテンツ表示装置３の表示部３４からユーザーの目線が外れたと判定したため、タイミングＴ３−４にコンテンツ表示装置３に対して付加広告の再配信を開始する。
【００９５】
以上説明したように、第２実施形態に係る広告配信システム１は、コンテンツ表示装置３の表示部３４に対するユーザーの目線方向を示す情報が視聴関連情報に含まれており、前記のユーザーの目線方向を示す情報に基づいて付加広告の配信を制御する。これにより、広告配信システム１は、第１実施形態と同様の効果を得ることができ、更に、コンテンツ表示装置３をユーザーが視聴している場合と視聴していない場合とで異なる配信先に付加広告を配信することができる。
【００９６】
＜第３実施形態＞
以下、本発明の第３実施形態について、図面を参照して説明する。なお、第１実施形態と同様な機能部には同じ符号を付して、説明を省略する。第３実施形態に係る広告配信システム１のコンテンツ表示装置３は、情報処理端末４が所定のアクセスポイントに接続しているか否かに基づいてユーザーが外出しているか否かをコンテンツ表示装置３又は情報処理端末４が検出し、コンテンツ表示装置３が、ユーザーが外出しているか否かを示す情報を視聴関連情報に含めるとする。なお、以下では、コンテンツ表示装置３が、情報処理端末４が所定のアクセスポイントに接続しているか否かに基づいてユーザーが外出しているか否かを検出するとして説明するが、これに代えて、情報処理端末４が、情報処理端末４が所定のアクセスポイントに接続しているか否かに基づいてユーザーが外出しているか否かを検出する構成であってもよい。その場合、情報処理端末４は、前記の検出の結果をコンテンツ表示装置３に出力する構成とする。
【００９７】
また、以下では、コンテンツ表示装置３が取得した付加広告を、セカンドスクリーンとして機能している情報処理端末４に出力する構成に代えて、広告配信装置２がコンテンツ表示装置３と情報処理端末４のうちいずれか一方又は両方に付加広告を配信する構成として説明する。なお、以下で説明する処理をコンテンツ表示装置３が行うことで、広告配信装置２からコンテンツ表示装置３が取得した付加広告を情報処理端末４に出力する構成であってもよい。
【００９８】
第２実施形態に係る広告配信装置２は、視聴関連情報に基づいて付加広告を配信するか否かを判定するとともに、ユーザーが外出中か否かに基づいて、コンテンツ表示装置３と情報処理端末４のうちいずれに付加広告を配信するかを判定する。
【００９９】
ここで、図１９を参照して、ユーザーが外出中の場合における広告配信装置２が広告を配信する配信先について説明する。図１９は、ユーザーが外出中の場合における広告配信装置２が広告を配信する配信先の一覧の一例を示す図である。図１９に示したように、広告配信装置２は、コンテンツ表示装置３に広告有コンテンツが表示されている場合、ユーザーが在宅している（図１９において、在宅時と称する）と付加広告を配信せず、ユーザーが外出している（図１９において、外出時と称する）と情報処理端末４に付加広告を配信する。これにより、広告配信装置２は、コンテンツ表示装置３のユーザーが広告有コンテンツを視聴していない間、情報処理端末４に付加広告を配信することができ、その結果、図１６において説明した権利関係リスクを回避することができる。
【０１００】
また、広告配信装置２は、コンテンツ表示装置３に広告無コンテンツが表示されている場合、ユーザーが在宅しているとコンテンツ表示装置３に付加広告を配信し、ユーザーが外出していると情報処理端末４に付加広告を配信する。これにより、広告配信装置２は、コンテンツ表示装置３のユーザーの在宅又は外出に応じて配信先を変えることができ、その結果、ユーザーが広告無コンテンツを視聴しているか否かに拘わらず、ユーザーに付加広告を認識させ続けることができる。
【０１０１】
また、広告配信装置２は、コンテンツ表示装置３に外部入力コンテンツが表示されている場合、ユーザーが在宅しているとコンテンツ表示装置３に付加広告を配信し、ユーザーが外出していると情報処理端末４に付加広告を配信する。これにより、広告配信装置２は、コンテンツ表示装置３のユーザーの在宅又は外出に応じて配信先を変えることができ、その結果、ユーザーが外部入力コンテンツを視聴しているか否かに拘わらず、ユーザーに付加広告を認識させ続けることができる。
【０１０２】
また、コンテンツ表示装置３の画面が２画面モードになっており、２画面のうちいずれか一方に広告有コンテンツが表示されている場合、広告配信装置２は、ユーザーが在宅していると付加広告を配信せず、ユーザーが外出していると情報処理端末４に付加広告を配信する。これにより、広告配信装置２は、例えば、コンテンツ表示装置３のユーザーが広告有コンテンツを視聴していない間、情報処理端末４に付加広告を配信することができ、その結果、図１６において説明した権利関係リスクを回避することができる。
【０１０３】
以上説明したように、第３実施形態に係る広告配信システム１は、コンテンツ表示装置３が設置された部屋からコンテンツ表示装置３のユーザーが外出しているか否かを示す情報が視聴関連情報に含まれており、前記のユーザーが外出しているか否かを示す情報に基づいて付加広告の配信を制御する。これにより、広告配信システム１は、第１実施形態と同様の効果を得ることができ、更に、ユーザーが外出中であっても情報処理端末４に付加広告を配信することで、より高い広告効果を前記のユーザーに与えることができる。
【０１０４】
＜第４実施形態＞
以下、本発明の第４実施形態について、図面を参照して説明する。なお、第１実施形態と同様な機能部には同じ符号を付して、説明を省略する。第４実施形態に係る広告配信システム１のコンテンツ表示装置３は、例えば、表示部３４に表示されたコンテンツを含む範囲を撮像する撮像部を備えており、撮像部により前記の範囲が撮像された撮像画像を視聴関連情報に含む、広告配信装置２に出力する。
【０１０５】
広告配信装置２は、前記の撮像画像を取得し、例えば、前記の撮像画像が撮像された時間において放送された全コンテンツの静止画像をコンテンツ情報サーバー６から取得し、取得された撮像画像中のコンテンツ表示装置３に表示された画像と一致する静止画像を、取得された全コンテンツの静止画像の中から抽出する。この抽出により、広告配信装置２は、ネットワークを介して視聴関連情報のうちのコンテンツ表示装置３に表示されているコンテンツを識別する情報等を取得することができないコンテンツ表示装置３に対してであっても、第１実施形態と同様に付加広告の配信を制御することができる。
【０１０６】
ここで、図２０、２１を参照して、撮像画像中のコンテンツ表示装置３に表示された画像と、その撮像画像が撮像された時間に放送されていたコンテンツの静止画像について説明する。図１９は、撮像画像中のコンテンツ表示装置３に表示された画像と、その撮像画像が撮像された時間に放送されていたコンテンツの静止画像を例示する図である。図２０には、撮像画像中のコンテンツ表示装置３に表示された画像の一例を示す。図２１には、図２０に示した撮像画像が撮像された時間に放送されていたコンテンツの静止画像の一例を示す。
【０１０７】
図２０に示したように、撮像画像Ｌには、コンテンツ表示装置３の表示部３４であって画像Ｐ１が表示された表示部３４が撮像されている。広告配信装置２は、図２０に示したような撮像画像を含む視聴関連情報を取得すると、取得された撮像画像からパターンマッチングやエッジ検出等を用いて表示部３４を検出する。そして、広告配信装置２は、検出された表示部３４に表示された画像Ｐ１を抽出する。
【０１０８】
さらに、広告配信装置２は、図２０に示した撮像画像が撮像された時間において放送された全コンテンツの静止画像をコンテンツ情報サーバー６から取得する。そして、広告配信装置２は、前記の全コンテンツの静止画像のうち、抽出した画像Ｐ１と一致する静止画像（図２０に示した静止画像）を抽出する。広告配信装置２は、抽出された静止画像に係るコンテンツのコンテンツ情報をコンテンツ情報サーバー６から取得し、取得されたコンテンツ情報に基づいて付加広告の配信を制御する。
【０１０９】
以上説明したように、第４実施形態に係る広告配信システム１は、コンテンツ表示装置３の表示部３４を含む範囲が撮像された撮像画像に基づいて付加広告の配信を制御する。これにより、広告配信システム１は、第１実施形態と同様の効果を得ることができ、更に、ネットワークを介して視聴関連情報のうちのコンテンツ表示装置３に表示されているコンテンツを識別する情報等を取得することができないコンテンツ表示装置３に対してであっても、第１実施形態と同様に付加広告の配信を制御することができる。
【０１１０】
＜第５実施形態＞
以下、本発明の第５実施形態について、図面を参照して説明する。なお、上述した各実施形態と同様の構成には同じ符号を付して、説明を省略する。
本実施形態に係る広告配信システム１Ｄは、第１実施形態に係る広告配信システム１Ｄと同様に、コンテンツ表示装置３への広告の配信を制御するシステムである。本実施形態では、広告の配信の制御について、さらに詳細に説明する。
【０１１１】
まず、広告配信システム１Ｄの構成について説明する。
図２２は、本実施形態に係る広告配信システム１Ｄの構成の一例を示す図である。
広告配信システム１Ｄは、広告配信システム１が備える広告配信装置２に代えて、広告配信装置２Ｄを備える。また、広告配信システム１Ｄは、広告配信システム１が備える各装置に加え、視聴関連情報サーバー７をさらに備える。
【０１１２】
広告配信装置２Ｄは、可否情報と視聴関連情報とに基づいて広告の配信を制御する装置である。可否情報とは、広告配信の条件と、コンテンツに関する情報と、を対応付ける情報である。つまり、可否情報とは、コンテンツに応じて、広告を配信してよいか否かを表す情報である。例えば、上述した広告有無情報は、可否情報の一例である。可否情報の詳細については、後述する。また、以下では、主に、広告配信の条件が広告を配信しない条件である場合を例に説明する。
広告配信装置２Ｄは、例えば、コンテンツ表示装置３ごとに選択された広告を配信するか否かを判定する。これにより、広告配信装置２Ｄは、広告の配信を取り止めることができるため、広告配信システム１Ｄは、不適切な広告がコンテンツ表示装置３等に配信されることを防ぐことができる。
【０１１３】
ここで、広告の配信を取り止めるとは、具体的には、配信候補の広告を配信しないこと、配信を取り止める広告を配信候補としないこと、配信する広告を別の広告に差し替えること、配信された広告を再生させないようにすること等である。以下では、一例として、配信候補の広告を配信しないことにより、広告の配信を取り止める場合について説明する。
【０１１４】
また、広告の配信の取り止めは、例えば、コンテンツに係るスポンサー、コンテンツの配信元、コンテンツの製作元、コンテンツの種類等に基づいて判定することができる。例えば、コンテンツに係るスポンサーに基づいて広告の配信の取り止めを判定することにより、コンテンツのスポンサーと競合する広告主の広告が配信されることを防ぐことができる。つまり、コンテンツ表示装置３がコンテンツの表示しているときに、そのコンテンツのスポンサーと競合する広告主の広告が表示されてしまうことを防ぐことができる。また、例えば、コンテンツの配信元に基づいて判定することより、特定の配信元のコンテンツが表示されているときにのみ広告を配信し、その他の配信元のコンテンツが表示されているときには広告の配信を取り止めることができる。また、例えば、コンテンツの種類に基づいて判定することにより、コンテンツ表示装置３が外部入力コンテンツを表示しているときには広告を配信し、放送コンテンツを表示している場合には広告の配信を取り止めることができる。
【０１１５】
以下では、一例として、コンテンツに係るスポンサーに基づいて、広告の配信の可否を判定する場合について説明する。具体的には、広告を配信しない条件として、広告の広告主が、コンテンツ表示装置３に表示されているコンテンツに係るスポンサーに競合することであることを採用する場合について説明する。また、コンテンツ表示装置３は、外部入力コンテンツ等の任意のコンテンツを再生してよいが、以下では、一例として、放送コンテンツを表示する場合について説明する。
【０１１６】
視聴関連情報サーバー７は、コンテンツ表示装置３から送信される視聴関連情報を蓄積するサーバー装置である。視聴関連情報は、送信元のコンテンツ表示装置３ごと、又は、コンテンツ表示装置３のユーザーごとに視聴関連情報を管理する。視聴関連情報サーバー７は、広告配信装置２Ｄからの要求に応じて、自装置が管理する視聴関連情報を要求元の広告配信装置２Ｄに送信する。
また、本実施形態に係る広告ＤＢサーバー５は、可否情報を予め記憶する。
【０１１７】
次に、本実施形態に係る広告配信システム１Ｄが用いる各種情報のデータ構成の具体例について説明する。
まず、コンテンツ情報について説明する。
図２３は、コンテンツ情報のデータ構成の一例を示す図である。
本実施形態において、コンテンツ情報の各レコードは、番組ＩＤ（図２３における番組ＩＤ）とブロードキャストＩＤ（図２３における放送局）と、番組名情報（図２３における番組名）と、放送開始時刻情報（図２３における放送開始時刻）と、放送終了時刻情報（図２３における放送終了時刻）と、放送時間情報（図２３における視聴時間）と、スポンサーＩＤ（図２３におけるスポンサーＩＤ）とを互いに対応付けて構成される。
【０１１８】
番組ＩＤとは、番組を識別する情報である。つまり、番組ＩＤとは、コンテンツを識別するコンテンツ識別情報の一例である。
ブロードキャストＩＤとは、放送局を識別する情報である。つまり、ブロードキャストＩＤとは、コンテンツの配信元を示す情報の一例である。コンテンツ情報には、コンテンツの配信元を示す情報に代えてコンテンツの製作元を示す情報が含まれてもよい。また、コンテンツ情報には、コンテンツの配信元を示す情報と、コンテンツの製作元を示す情報都の両方が含まれてもよい。
番組名情報は、番組の名称を示す情報である。つまり、番組名情報とは、コンテンツを識別するコンテンツ識別情報の一例である。
【０１１９】
放送開始時刻情報とは、コンテンツの放送の開始時刻を示す情報である。
放送終了時刻情報とは、コンテンツの視聴が終了した時刻を示す情報である。
放送時間情報とは、コンテンツの放送時間長を示す情報である。つまり、放送時間情報とは、コンテンツの時間的な長さを示す情報である。
なお、放送開始時刻情報と、放送終了時刻情報と、放送時間情報とのうちのいずれかが省略されてもよい。この場合であっても、省略されていない残りの２つの情報から、省略された情報の内容を特定することができる。例えば、放送終了時刻情報が省略された場合、放送開始時刻情報が示す放送開始時刻に、放送時間情報が示すコンテンツの放送時間長を加えることで、放送終了時刻情報を特定することができる。
【０１２０】
スポンサーＩＤとは、コンテンツに係るスポンサーを示す情報である。コンテンツに係るスポンサーとは、例えば、コンテンツの製作元、コンテンツの配信元、コンテンツ自体等のスポンサーである。なお、例えば、国営放送がコンテンツの配信元である場合等、コンテンツに係るスポンサーが存在しない場合もある。また、コンテンツに係るスポンサーが複数存在する場合もある。従って、スポンサーＩＤは、１以上記述されることもあれば、記述されないこともある。
以上のように、コンテンツ情報の各レコードは、コンテンツの配信元、製作元、コンテンツの名称、コンテンツの放送時間、コンテンツの時間的な長さ、コンテンツのスポンサー等の情報を含む。つまり、コンテンツ情報とは、コンテンツのメタ情報の一例である。
以上が、コンテンツ情報のデータ構造の説明である。
【０１２１】
次に、視聴関連情報について説明する。
図２４は、視聴関連情報のデータ構成の一例を示す図である。
本実施形態に係る視聴関連情報は、一例として、コンテンツ表示装置３によるコンテンツの視聴履歴を表す情報である。本実施形態において、視聴関連情報の各レコードは、端末ＩＤ（図２４における端末ＩＤ）と、番組ＩＤ（図２４における番組ＩＤ）と、視聴開始時刻情報（図２４における視聴開始時刻）と、視聴終了時刻情報（図２４における視聴終了時刻）とが互いに対応付けられて構成される。
【０１２２】
端末ＩＤとは、コンテンツ表示装置３を識別する情報である。つまり、端末ＩＤは、コンテンツ表示装置３のユーザーを識別する情報の一例である。端末ＩＤに代えて、又は、端末ＩＤに加えて、コンテンツ表示装置３のユーザーの識別情報が用いられてもよい。
番組ＩＤは、上述したように、番組を識別する情報である。
視聴開始時刻情報とは、コンテンツ表示装置３によるコンテンツの視聴が開始された時刻を示す情報である。ここで、コンテンツの視聴とは、例えば、コンテンツ表示装置３がコンテンツを表示（再生）すること、コンテンツ表示装置３がコンテンツを表示している状態において、そのユーザーの目線がコンテンツ表示装置３に向いていること、コンテンツ表示装置３がコンテンツを表示している状態において、コンテンツ表示装置３が設置されている空間（例えば、部屋）内にそのユーザーが存在していること等である。
【０１２３】
視聴終了時刻情報とは、コンテンツ表示装置３によるコンテンツの視聴が終了した時刻を示す情報である。ここで、本実施形態に係る視聴関連情報には、視聴終了時刻情報の値に応じて、現在視聴関連情報と、過去視聴関連情報都の２種類の区別がある。
【０１２４】
現在視聴関連情報とは、コンテンツ表示装置３において、現在表示されているコンテンツについての視聴関連情報である。つまり、現在視聴関連情報は、コンテンツ表示装置３のユーザーがコンテンツを視聴中であることを表す。現在視聴関連情報の場合、コンテンツの視聴が終了していないため、視聴終了時刻情報に視聴の終了時刻は記述されていない。図２４に示す例の場合、第１段目から第４段目に登録されている４つのレコードＲ１が現在視聴関連情報のレコードである。広告配信装置２Ｄは、現在視聴関連情報を参照することにより、コンテンツ表示装置３が表示中のコンテンツを特定することができる。なお、広告配信装置２Ｄは、コンテンツ表示装置３が表示中のコンテンツを特定するために、例えば、視聴開始時刻情報の時刻が１０分以上前、１０分以上前から１時間前まで等の期間に関する所定条件を満たす視聴関連情報を参照してもよい。これにより、広告配信装置２Ｄは、所定時間以上同一のコンテンツを視聴し続けているユーザーを特定することができる。
【０１２５】
過去視聴関連情報とは、コンテンツ表示装置３において、過去に表示されたコンテンツについての視聴関連情報である。つまり、過去視聴関連情報は、コンテンツ表示装置３のユーザーがコンテンツの視聴を終了していることを表す。過去視聴関連情報の場合、コンテンツの視聴が終了しているため、視聴終了時刻情報に視聴の終了時刻が記述されている。図２４に示す例の場合、第５段目から第８段目に登録されている４つのレコードＲ２が現在視聴関連情報のレコードである。
つまり、本実施形態に係る視聴終了時刻情報は、コンテンツの視聴が終了しているか否か、すなわち、コンテンツが現在視聴されているか否かを示す情報でもある。
【０１２６】
次に、視聴関連情報のレコードの更新について説明する。ここでは、一例として、コンテンツ表示装置３のユーザーが、コンテンツの視聴中にチャンネルを変更した場合について説明する。
この場合、まず、チャンネル変更前のコンテンツに係るレコードにおいて、視聴終了時刻情報として、チャンネルの変更が行われた時刻が記述される。また、チャンネル変更後のコンテンツに係るレコードが新たに生成される。このレコードには、チャンネル変更後のコンテンツを示す番組ＩＤ等が記述される他、視聴開始時刻情報として、チャンネルの変更が行われた時刻が記述される。このように、視聴関連情報の各レコードの視聴終了時刻情報は、コンテンツの放送が終了した時刻に限らず、コンテンツ表示装置３のユーザーがコンテンツの視聴を終了した時刻を表す。
【０１２７】
以上のように、視聴関連情報の各レコードは、コンテンツ表示装置３において表示されたコンテンツの識別情報、コンテンツの視聴時間等の情報を含む。
以上が、視聴関連情報のデータ構造の説明である。
【０１２８】
次に、可否情報について説明する。
図２５は、可否情報のデータ構成の一例を示す図である。
本実施形態において、可否情報の各レコードは、スポンサーＩＤ（図２５におけるスポンサーＩＤ）と、広告主ごと（図２５におけるａ社、ｂ社、ｃ社、ｄ社、ｅ社、ｆ社）の広告可否情報とを対応付けて構成される。
スポンサーＩＤは、上述したようにコンテンツに係るスポンサーを示す情報である。
広告主ごとの広告可否情報は、各企業が広告主となる広告の配信を許可するか否かを示す情報である。つまり、広告可否情報は、広告を配信しない条件の一例である。図２５に示す例では、広告の配信を許可する場合、「○」が記述され、広告の配信を許可しない場合、「×」が記述されている。
【０１２９】
以上のように、可否情報の各レコードは、コンテンツに係るスポンサーごとに、そのコンテンツがコンテンツ表示装置３において表示されているときに、各企業の広告を配信してよいか否かを示す。つまり、可否情報とは、コンテンツと、広告の配信の可否とを対応付けた情報である。図２５に示す例では、コンテンツに係るスポンサーを介して、広告の配信の可否とコンテンツとを対応付けている。このように可否情報は、広告の配信の可否とコンテンツとを間接的に対応付けてもよいし、直接的に対応付けてもよい。
以上が、可否情報の説明である。
【０１３０】
次に、広告配信システム１Ｄの動作について説明する。
図２６は、広告配信システム１Ｄによる全体的な処理の流れの一例を示すシーケンス図である。
まず、コンテンツ表示装置３の出力制御部３６３は、自装置が表示しているコンテンツについての視聴関連情報を視聴関連情報サーバー７に送信する（ステップＳ４００）。視聴関連情報は、例えば、コンテンツの表示を開始したとき、コンテンツの表示を終了したとき等に送信される。コンテンツの表示は、例えば、コンテンツ表示装置３の電源のＯＮ／ＯＦＦや、放送チャンネルの切り替え、外部入力コンテンツとの表示の切り替え等により開始、終了する。視聴関連情報サーバー７は、コンテンツ表示装置３から視聴関連情報を取得すると、取得した視聴関連情報を自装置の記憶部に記憶し、蓄積する（ステップＳ４１０）。このステップＳ４００、Ｓ４１０の処理は、図２６に示す他の処理とは非同期に随時行われてよい。
【０１３１】
他方、広告配信装置２Ｄの第１取得部２６３は、視聴関連情報サーバー７から、広告の配信先のコンテンツ表示装置３についての視聴関連情報を取得する（ステップＳ４２０）。このとき、広告配信装置２Ｄは、現在視聴関連情報を取得する。
次に、広告配信装置２Ｄのコンテンツ情報取得部２６６は、コンテンツ情報サーバー６からコンテンツ情報を取得する（ステップＳ４３０）。このとき、広告配信装置２Ｄは、ステップＳ４２０の処理により取得した現在視聴関連情報を参照し、コンテンツ表示装置３において、現在表示されていると推測されるコンテンツについて、コンテンツ情報を取得する。
【０１３２】
次に、広告配信装置２Ｄの配信制御部２６７は、ステップＳ４３０の処理により取得したコンテンツ情報を参照し、コンテンツに係るスポンサーを特定する。そして、広告配信装置２Ｄの第２取得部２６５は、特定したスポンサーについての可否情報を広告ＤＢサーバー５から取得する（ステップＳ４４０）。
次に、広告配信装置２Ｄの配信制御部２６７は、ステップＳ４４０の処理により取得した可否情報に基づいて、広告の配信の可否を判定する（ステップＳ４５０）。まず、広告配信装置２Ｄの配信制御部２６７は、配信候補の広告を選択する。次に、広告配信装置２Ｄの配信制御部２６７は、選択した広告の広告主を特定する。次に、広告配信装置２Ｄの配信制御部２６７は、可否情報を参照し、特定した広告主による広告の配信が許可されているか否かを判定する。広告の配信が許可されていない場合、広告配信装置２Ｄは、該広告の配信を取り止める。また、広告の配信が許可されている場合、広告配信装置２Ｄの広告取得部２６１は、該広告を広告ＤＢサーバー５から取得する（ステップＳ４６０）。
【０１３３】
なお、配信候補の広告は、任意の方法で選択されてよい。例えば、広告配信装置２Ｄは、例えば、過去視聴関連情報に基づいて、コンテンツ表示装置３のユーザーの嗜好、興味を推定し、ユーザーが関心を持ちやすいと推測される広告を選択してもよい。この場合、ユーザーの嗜好、興味は、例えば、コンテンツの視聴時間、ジャンル、出演者、ターゲットユーザ像等から推定されてよい。また、例えば、広告配信装置２Ｄは、ユーザーの属性に基づいて、広告を選択してもよい。
【０１３４】
ステップＳ４６０の処理の後、広告配信装置２Ｄの配信制御部２６７は、ステップＳ４６０の処理で取得した広告をコンテンツ表示装置３に配信する（ステップＳ４７０）。次に、コンテンツ表示装置３の第３取得部３６１は、広告配信装置２Ｄから広告を取得する。そして、コンテンツ表示装置３の表示制御部３６５は、取得した広告を表示する。（ステップＳ４８０）。
以上が、広告配信システム１Ｄの全体的な処理の流れの説明である。
【０１３５】
以上説明したように、本実施形態に係る広告配信システム１Ｄは、コンテンツ表示装置３により現在視聴されていると推測されるコンテンツに応じて、広告の配信を行ったり、取り止めたりする。これにより、広告配信システム１Ｄは、配信が不適切な広告の配信を取り止めたり、適切な広告を配信したりすることができる。具体的には、広告配信システム１Ｄは、例えば、コンテンツに係るスポンサー、コンテンツの配信元、コンテンツの製作元等と広告主との関係から配信が不適切な広告の配信を取り止めたり、外部入力コンテンツの場合にのみ広告を配信したりすることができる。
【０１３６】
なお、上述した第５実施形態では、コンテンツに係るスポンサーに基づいて、広告の配信の可否を判定する場合について説明したが、これには限られない。
例えば、広告配信システム１Ｄは、コンテンツの種類に基づいて、広告の配信の可否を判定してもよい。具体的には、広告配信システム１Ｄは、例えば、広告有コンテンツであるか、広告無コンテンツであるかに基づいて広告の可否を判定してよい。この場合、可否情報には、例えば、広告有コンテンツと配信の不許可との対応付けと、広告無コンテンツと配信の許可との対応付けとが記述される。つまり、広告を配信しない条件として、広告有コンテンツであることが定められ、この条件と、コンテンツが広告有コンテンツであるか否かを示す情報とが可否情報により対応付けられる。
【０１３７】
また、広告配信システム１Ｄは、例えば、放送コンテンツであるか、外部入力コンテンツであるかに基づいて広告の可否を判定してよい。放送コンテンツと配信の不許可との対応付けと、外部入力コンテンツと配信の許可との対応付けとが記述される。つまり、広告を配信しない条件として、放送コンテンツであることが定められ、この条件と、コンテンツが放送コンテンツであるか否かを示す情報とが可否情報により対応付けられる。
【０１３８】
また、広告配信システム１Ｄは、例えば、コンテンツの配信元に基づいて、広告の配信の可否を判定してもよい。この場合、可否情報には、例えば、特定の放送局と配信の許可との対応付けと、その他の放送局と配信の不許可との対応付けとが記述される。つまり、広告を配信しない条件として、特定の放送局ではないことが定められ、この条件と、コンテンツが放送コンテンツであるか否かを示す情報とが可否情報により対応付けられる。
【０１３９】
また、上述した第５実施形態では、広告を配信しない条件が定められている場合について説明したが、広告を配信しない条件の代わりに広告を配信する条件が定められてもよい。具体的には、例えば、広告主が、コンテンツに係るスポンサーのグループ企業であることを、広告を配信する条件として定めてもよい。また、広告を配信しない条件、広告を配信する条件は、上述した各種条件を任意に組み合わせてもよく、また、任意に変更されてもよい。
また、上述した各実施形態における任意の構成は、異なる装置に分離して備えられてもよい。また、複数の構成が組み合わせられて１つの装置に備えられてもよい。例えば、第５実施形態の広告配信システム１Ｄによる広告の配信制御に係る処理を第１〜第４実施形態の広告配信システム１に適用してもよい。
【０１４０】
以上、この発明の実施形態を、図面を参照して詳述してきたが、具体的な構成はこの実施形態に限られるものではなく、この発明の要旨を逸脱しない限り、変更、置換、削除等されてもよい。
【０１４１】
また、上記の実施形態における広告配信装置２、２Ｄ、コンテンツ表示装置３、情報処理端末４、広告ＤＢサーバー５、コンテンツ情報サーバー６、視聴関連情報サーバー７のそれぞれを構成する各部の機能を実現するためのプログラムを、コンピューター読み取り可能な記録媒体に記録して、この記録媒体に記録されたプログラムをコンピューターシステムに読み込ませ、実行することにより広告配信装置２、コンテンツ表示装置３、情報処理端末４のそれぞれの実施を行ってもよい。なお、ここでいう「コンピューターシステム」とは、ＯＳ（Operation  System）や周辺機器等のハードウェアを含むものとする。
【０１４２】
また、「コンピューターシステム」は、ＷＷＷシステムを利用している場合であれば、ホームページ提供環境（あるいは表示環境）も含むものとする。
また、「コンピューター読み取り可能な記録媒体」とは、フレキシブルディスク、光磁気ディスク、ＲＯＭ、ＣＤ−ＲＯＭ等の可搬媒体、コンピューターシステムに内蔵されるハードディスク等の記憶装置のことをいう。さらに「コンピューター読み取り可能な記録媒体」とは、インターネット等のネットワークや電話回線等の通信回線を介してプログラムを送信する場合の通信線のように、短時間の間、動的にプログラムを保持するもの、その場合のサーバーやクライアントとなるコンピューターシステム内部の揮発性メモリのように、一定時間プログラムを保持しているものも含むものとする。また上記プログラムは、前述した機能の一部を実現するためのものであっても良く、さらに前述した機能をコンピューターシステムにすでに記録されているプログラムとの組み合わせで実現できるものであっても良い。
【０１４３】
（１）本発明の一態様は、コンテンツ表示装置による視聴に係る情報を視聴関連情報として取得する第１取得部と、取得された前記視聴関連情報に基づいて広告の配信を制御する配信制御部と、を備える広告配信装置である。
（２）本発明の他の態様は、（１）に記載の広告配信装置であって、前記配信制御部は、前記視聴関連情報に基づいて広告を配信するか否かを判定し、前記広告を配信しないと判定した場合、前記広告を配信しない、広告配信装置である。
（３）本発明の他の態様は、（１）又は（２）に記載の広告配信装置であって、前記コンテンツ表示装置に表示されるコンテンツに係る広告の有無を示す情報を広告有無情報として取得する第２取得部を備え、前記配信制御部は、さらに、取得された前記広告有無情報に基づいて前記広告の配信を制御する、広告配信装置である。
【０１４４】
（４）本発明の他の態様は、（３）に記載の広告配信装置であって、前記配信制御部は、取得された前記広告有無情報が広告有であることを示している場合、前記広告を配信しない、広告配信装置である。
（５）本発明の他の態様は、（１）から（４）のうちいずれか一項に記載の広告配信装置であって、前記視聴関連情報には、前記コンテンツ表示装置に表示されたコンテンツを示す情報が含まれている、広告配信装置である。
（６）本発明の他の態様は、（１）から（５）のうちいずれか一項に記載の広告配信装置であって、前記視聴関連情報には、前記コンテンツ表示装置の電源がオン又はオフにされたことを示す情報が含まれている、広告配信装置である。
【０１４５】
（７）本発明の他の態様は、（１）から（６）のうちいずれか一項に記載の広告配信装置であって、前記視聴関連情報には、前記コンテンツ表示装置が外部入力端子又はインターネットを介してコンテンツが表示されているか否かを示す情報が含まれている、広告配信装置である。
（８）本発明の他の態様は、（１）から（７）のうちいずれか一項に記載の広告配信装置であって、前記配信制御部は、前記コンテンツ表示装置のユーザーが前記コンテンツ表示装置から目線を外した時、前記コンテンツ表示装置のセカンドスクリーンとして機能する情報処理端末に前記広告を配信する、広告配信装置である。
（９）本発明の他の態様は、（１）から（８）のうちいずれか一項に記載の広告配信装置であって、前記配信制御部は、前記コンテンツ表示装置のユーザーが、前記コンテンツ表示装置が設置された部屋から外出した時、前記コンテンツ表示装置のセカンドスクリーンとして機能する情報処理端末に前記広告を配信する、広告配信装置である。
【０１４６】
（１０）本発明の他の態様は、（１）から（９）のうちいずれか一項に記載の広告配信装置であって、前記配信制御部は、前記コンテンツ表示装置の表示部を含む撮像画像に基づいて前記広告の配信を制御する、広告配信装置である。
（１１）本発明の他の態様は、コンテンツ表示装置による視聴に係る情報を視聴関連情報として取得し、取得された前記視聴関連情報に基づいて広告の配信を制御する、広告配信方法である。
（１２）本発明の他の態様は、広告配信装置のコンピューターに、コンテンツ表示装置による視聴に係る情報を視聴関連情報として取得させ、取得された前記視聴関連情報に基づいて広告の配信を制御させる、広告配信プログラムである。
【０１４７】
（１３）本発明の他の態様は、広告配信装置と、前記広告配信装置から配信された広告を表示するコンテンツ表示装置とを具備する広告配信システムであって、前記広告配信装置は、コンテンツ表示装置による視聴に係る情報を視聴関連情報として取得する第１取得部と、取得された前記視聴関連情報に基づいて広告の配信を制御する配信制御部と、前記配信制御部からの要求に応じて前記広告を配信する配信部と、を備え、前記コンテンツ表示装置は、自装置の前記視聴関連情報を出力する出力部と、前記広告配信装置から配信された前記広告を取得する第３取得部と、取得された前記広告を表示する表示部と、を備える、広告配信システムである。
【０１４８】
（１４）本発明の他の態様は、広告配信装置と、コンテンツ表示装置と、前記広告配信装置から出力された広告を表示する情報処理端末とを具備する広告配信システムであって、前記広告配信装置は、コンテンツ表示装置による視聴に係る情報を視聴関連情報として取得する第１取得部と、取得された前記視聴関連情報に基づいて広告の配信を制御する配信制御部と、前記配信制御部からの要求に応じて前記広告を配信する配信部と、を備え、前記コンテンツ表示装置は、自装置の前記視聴関連情報を出力する第１出力部と、前記広告配信装置から配信された前記広告を取得する第３取得部と、取得された前記広告を前記情報処理端末に出力する第２出力部と、を備え、前記情報処理端末は、前記コンテンツ表示装置から前記広告を取得する第４取得部と、取得された前記広告を表示する表示部と、を備える、広告配信システムである。
【０１４９】
（１５）本発明の他の態様は、自装置の視聴に係る状態を示す情報を出力する第１出力部と、自装置による視聴に係る情報が視聴関連情報として取得され、取得された前記視聴関連情報に基づいて広告の配信が配信制御部により制御され、前記配信制御部からの要求に応じて前記広告が配信され、配信された前記広告を表示する表示部と、コンテンツ表示装置である。
（１６）本発明の他の態様は、コンテンツ表示装置のコンピューターに、自装置の視聴に係る状態を示す情報を出力させ、自装置による視聴に係る情報が視聴関連情報として取得され、取得された前記視聴関連情報に基づいて広告の配信が配信制御部により制御され、前記配信制御部からの要求に応じて前記広告が配信され、配信された前記広告を表示させる、コンテンツ表示プログラムである。
【０１５０】
（１７）本発明の他の態様は、コンテンツ表示装置による視聴に係る情報が視聴関連情報として取得され、取得された前記視聴関連情報に基づいて広告の配信が配信制御部により制御され、前記配信制御部からの要求に応じて前記広告が配信され、配信された前記広告が前記コンテンツ表示装置により取得され、前記コンテンツ表示装置から前記広告が出力され、出力された前記広告を取得する第４取得部と、取得された前記広告を表示する表示部と、を備える情報処理端末である。
（１８）本発明の他の態様は、情報処理端末のコンピューターに、コンテンツ表示装置による視聴に係る情報が視聴関連情報として取得され、取得された前記視聴関連情報に基づいて広告の配信が配信制御部により制御され、前記配信制御部からの要求に応じて前記広告が配信され、配信された前記広告が前記コンテンツ表示装置により取得され、前記コンテンツ表示装置から前記広告が出力され、出力された前記広告を取得させ、取得された前記広告を表示させる、情報処理プログラムである。
【０１５１】
（１９）本発明の他の態様は、広告配信装置と、前記広告配信装置から出力された広告を表示するコンテンツ表示装置とを具備する広告配信システムの広告配信方法であって、前記広告配信装置は、コンテンツ表示装置による視聴に係る情報を視聴関連情報として取得し、取得された前記視聴関連情報に基づいて広告の配信を配信制御部により制御し、前記配信制御部からの要求に応じて前記広告を配信し、前記コンテンツ表示装置は、自装置の前記視聴関連情報を出力し、前記広告配信装置から配信された前記広告を取得し、取得された前記広告を表示する、広告配信方法である。
【０１５２】
（２０）本発明の他の態様は、広告配信装置と、コンテンツ表示装置と、前記広告配信装置から出力された広告を表示する情報処理端末とを具備する広告配信システムの広告配信方法であって、前記広告配信装置は、コンテンツ表示装置による視聴に係る情報を視聴関連情報として取得し、取得された前記視聴関連情報に基づいて広告の配信を配信制御部により制御し、前記配信制御部からの要求に応じて前記広告を配信し、前記コンテンツ表示装置は、自装置の前記視聴関連情報を出力し、前記広告配信装置から配信された前記広告を取得し、取得された前記広告を前記情報処理端末に出力し、前記情報処理端末は、前記コンテンツ表示装置から前記広告を取得し、取得された前記広告を表示する、広告配信方法である。
【符号の説明】
【０１５３】
１、１Ｄ  広告配信システム、２、２Ｄ  広告配信装置、３  コンテンツ表示装置、４  情報処理端末、５  広告ＤＢサーバー、６  コンテンツ情報サーバー、７  視聴関連情報サーバー、２１、３１、４１  ＣＰＵ、２２、３２、４２  記憶部、２３、３３、４３  入力受付部、２４、３４、４４  表示部、２５、３５、４５  通信部、２６、３６、４６  制御部、２６１  広告取得部、２６３  第１取得部、２６５  第２取得部、２６６  コンテンツ情報取得部、２６７  配信制御部、３６１  第３取得部、３６３  出力制御部、３６５、４６３  表示制御部、４６１  第４取得部
【図１】
2018125856.tif 000003
【図２】
2018125856.tif 000004
【図３】
2018125856.tif 000005
【図４】
2018125856.tif 000006
【図５】
2018125856.tif 000007
【図６】
2018125856.tif 000008
【図７】
2018125856.tif 000009
【図８】
2018125856.tif 000010
【図９】
2018125856.tif 000011
【図１０】
2018125856.tif 000012
【図１１】
2018125856.tif 000013
【図１２】
2018125856.tif 000014
【図１３】
2018125856.tif 000015
【図１４】
2018125856.tif 000016
【図１５】
2018125856.tif 000017
【図１６】
2018125856.tif 000018
【図１７】
2018125856.tif 000019
【図１８】
2018125856.tif 000020
【図１９】
2018125856.tif 000021
【図２０】
2018125856.tif 000022
【図２１】
2018125856.tif 000023
【図２２】
2018125856.tif 000024
【図２３】
2018125856.tif 000025
【図２４】
2018125856.tif 000026
【図２５】
2018125856.tif 000027
【図２６】
2018125856.tif 000028
【手続補正書】
【提出日】平成30年3月23日(2018.3.23)
【手続補正１】
【補正対象書類名】特許請求の範囲
【補正対象項目名】全文
【補正方法】変更
【補正の内容】
【特許請求の範囲】
【請求項１】
コンテンツ表示装置によるコンテンツの視聴状態を示す視聴関連情報を取得する第１取得部と、
コンテンツのスポンサーと、広告の広告主と、を対応付ける可否情報を取得する可否情報取得部と、
前記可否情報と前記視聴関連情報とに基づいて、前記コンテンツ表示装置に配信候補の広告を配信するか否かを判定する配信制御部と、
を備える広告配信装置。
【請求項２】
配信される前記広告は、前記コンテンツと同時に前記コンテンツ表示装置に表示される広告である、
請求項１に記載の広告配信装置。
【請求項３】
前記配信制御部は、前記コンテンツの表示態様が変化するタイミングで前記コンテンツ表示装置に前記配信候補の広告を配信するか否かを判定する、
請求項１または請求項２に記載の広告配信装置。
【請求項４】
広告配信装置のコンピュータが、
コンテンツ表示装置によるコンテンツの視聴状態を示す視聴関連情報を取得する第１取得過程と、
コンテンツのスポンサーと、広告の広告主と、を対応付ける可否情報を取得する可否情報取得過程と、
前記可否情報と前記視聴関連情報とに基づいて、前記コンテンツ表示装置に配信候補の広告を配信するか否かを判定する配信制御過程と、
を有する広告配信方法。
【請求項５】
広告配信装置のコンピュータが、
コンテンツ表示装置によるコンテンツの視聴状態を示す視聴関連情報を取得する第１取得ステップと、
コンテンツのスポンサーと、広告の広告主と、を対応付ける可否情報を取得する可否情報取得ステップと、
前記可否情報と前記視聴関連情報とに基づいて、前記コンテンツ表示装置に配信候補の広告を配信するか否かを判定する配信制御ステップと、
を実行するための広告配信プログラム。
【請求項６】
広告配信装置と、前記広告配信装置から配信される広告を表示するコンテンツ表示装置と、を含む広告配信システムであって、
前記広告配信装置は、
コンテンツ表示装置によるコンテンツの視聴状態を示す視聴関連情報を取得する第１取得部と、
コンテンツのスポンサーと、広告の広告主と、を対応付ける可否情報を取得する可否情報取得部と、
前記可否情報と前記視聴関連情報とに基づいて、前記コンテンツ表示装置に配信候補の広告を配信するか否かを判定する配信制御部と、
を備え、
前記コンテンツ表示装置は、自装置の前記視聴関連情報を出力する出力部と、
を備える広告配信システム。
【請求項７】
広告配信装置と、前記広告配信装置から配信される広告と自装置の視聴関連情報とを出力する出力部を備えるコンテンツ表示装置と、含む広告配信システムのコンピュータが、
コンテンツ表示装置によるコンテンツの視聴状態を示す視聴関連情報を取得する第１取得過程と、
コンテンツのスポンサーと、広告の広告主と、を対応付ける可否情報を取得する可否情報取得過程と、
前記可否情報と前記視聴関連情報とに基づいて、前記コンテンツ表示装置に配信候補の広告を配信するか否かを判定する配信制御過程と、
前記コンテンツ表示装置の前記出力部に、自装置の前記視聴関連情報を出力する出力過程と、
を有する広告配信方法。